(57)【要約】  本発明の実施形態は、測定報告方法を開示する。本発明の実施形態における方法は、第１のネットワークデバイスが、ユーザ機器ＵＥのために第１の情報および／または第２の情報を設定する段階であって、第１の情報は第１の閾値および／または第２の閾値を含み、第１の閾値は、第１のタイプの測定イベントをトリガするために用いられ、第２の閾値は、第２のタイプの測定イベントをトリガするために用いられ、第２の情報は、ＵＥに、第１の測定結果および／または第２の測定結果を報告するよう命令するために用いられ、第１の測定結果はセル測定結果であり、第２の測定結果はビーム測定結果である、段階と、測定イベントが満たされたとき、ＵＥが測定結果を第１のネットワークデバイスに報告するように、第１のネットワークデバイスが、第１の情報および／または第２の情報をＵＥへ送る段階と、第１のネットワークデバイスが、ＵＥにより送信された測定結果を受信する段階とを備える。本発明の実施形態はさらに、ネットワークデバイスおよびユーザ機器を提供する。本発明の実施形態は、ビーム測定結果報告を満たし、高密度のネットワークにおける測定によりよく適応する。
2019532586.tif 000002
【特許請求の範囲】
【請求項１】
第１のネットワークデバイスが、ユーザ機器のために第１の情報および／または第２の情報を設定する段階であって、前記第１の情報は、第１の閾値および／または第２の閾値を含み、前記第１の閾値は、第１のタイプの測定イベントをトリガするために用いられ、前記第２の閾値は、第２のタイプの測定イベントをトリガするために用いられ、前記第２の情報は、前記ユーザ機器に、第１の測定結果および／または第２の測定結果を報告するよう命令するために用いられ、前記第１の測定結果は、セル測定結果であり、前記第２の測定結果は、ビーム測定結果である、段階と、
測定イベントが満たされたとき、前記ユーザ機器が測定結果を前記第１のネットワークデバイスに報告するように、前記第１のネットワークデバイスが、前記第１の情報および／または前記第２の情報を前記ユーザ機器へ送る段階と、
前記第１のネットワークデバイスが、前記ユーザ機器により送信された前記測定結果を受信する段階と
を備える
測定報告方法。
【請求項２】
前記第１のタイプは、セル変更、セル切り換え、またはセルハンドオーバーであり、前記第２のタイプは、ビーム変更またはビーム切り換えである、請求項１に記載の測定報告方法。
【請求項３】
前記第１のタイプは、一のグループのネットワークデバイス間で、具体的には、前記第１のネットワークデバイスが属するネットワークデバイスグループと、第２のネットワークデバイスが属するネットワークデバイスグループとの間で用いられる、請求項１に記載の測定報告方法。
【請求項４】
前記第２のタイプは、ネットワークデバイスグループまたはネットワークデバイス内で、具体的には、前記第１のネットワークデバイスが属するネットワークデバイスグループにおける異なるネットワークデバイス間で、または前記第１のネットワークデバイスにおける異なるビーム間で用いられる、請求項１に記載の測定報告方法。
【請求項５】
前記第１の情報はさらに、第３の閾値を含み、前記第３の閾値は、第３のタイプの測定イベントをトリガするために用いられ、
前記第２のタイプは、一のグループのネットワークデバイス内で、具体的には、前記第１のネットワークデバイスが属するネットワークデバイスグループにおける異なるネットワークデバイス間で用いられ、
前記第３のタイプは、ネットワークデバイス内で、具体的には、前記第１のネットワークデバイスにおける異なるビーム間で用いられる、
請求項１に記載の測定報告方法。
【請求項６】
前記第１のタイプの測定イベントは、第１のビームの測定結果が前記第１の閾値より劣っていること、および／または前記第２のビームの測定結果が前記第１の閾値より優れていること、および／または前記第２のビームの前記測定結果が前記第１のビームの前記測定結果より第１のオフセット値だけ優れていることであり、
前記第２のタイプの測定イベントは、前記第１のビームの前記測定結果が前記第２の閾値より劣っていること、および／または前記第３のビームの測定結果が前記第２の閾値より優れていること、および／または、前記第３のビームの前記測定結果が前記第１のビームリンクの前記測定結果より第２のオフセット値だけ優れていることである、
請求項１に記載の測定報告方法。
【請求項７】
前記第３のタイプの測定イベントは、第１のビームの測定結果が前記第３の閾値より劣っていること、および／または前記第４のビームの測定結果が前記第３の閾値より優れていること、および／または前記第４のビームの前記測定結果が前記第１のビームの前記測定結果より第３のオフセット値だけ優れていることである、請求項５に記載の測定報告方法。
【請求項８】
前記第１の情報はさらに、第１のビームの数、および／またはターゲットビームの数を含み、前記ターゲットビームは、第２のビーム、第３のビーム、または第４のビームのうち少なくとも１つである、請求項１に記載の測定報告方法。
【請求項９】
前記測定イベントはさらに、
前記第１のビームの測定結果が第４の閾値より劣っていること、および／または前記第１のネットワークデバイスにおける接続ビームの数が第５の閾値未満であること、および、
前記ターゲットビームの測定結果が第６の閾値より優れていること、および／または前記ターゲットビームの数が第７の閾値より大きいこと
のうち少なくとも１つを含む、
請求項８に記載の測定報告方法。
【請求項１０】
前記測定イベントは具体的に、
前記第１のビームの前記測定結果が前記第４の閾値より劣っていること、および／または前記第１のビームの数が前記第５の閾値未満であること、
前記ターゲットビームの前記測定結果が、前記第１のネットワークデバイスの前記第１のビームの前記測定結果または前記第１のネットワークデバイスのセル測定結果より第４のオフセット値だけ優れていること、および／または前記ターゲットビームの数が前記第７の閾値より大きいこと、
前記ターゲットビームの前記測定結果が前記第６の閾値より優れていること、および／または前記ターゲットビームの数が前記第７の閾値より大きいこと、
前記第１のネットワークデバイスのビームまたはセル測定結果が、前記第４の閾値より劣っていること、および／または前記ターゲットビームの前記測定結果が前記第７の閾値より優れていること、および／または前記ターゲットビームの数が前記第７の閾値より大きいこと、および、
前記ターゲットビームの前記測定結果が前記第１のネットワークデバイスのセカンダリセルのビームまたはセル測定結果より第４のオフセット値だけ優れていること、および／または前記ターゲットビームの数が前記第７の閾値より大きいこと
のうち少なくとも１つを含む、
請求項８または９に記載の測定報告方法。
【請求項１１】
前記ターゲットビームの前記測定結果は、前記ターゲットビームのビーム測定結果、または、前記ターゲットビームが属するネットワークデバイスのセル測定結果である、請求項８から１０の何れか一項に記載の測定報告方法。
【請求項１２】
前記第２の情報はさらに、前記ユーザ機器に、ビーム測定結果の、またはセル測定結果の比較を行うよう命令するために用いられる、請求項１に記載の測定報告方法。
【請求項１３】
前記第２の情報はさらに、前記ユーザ機器に、第２のビームに基づき、前記第１の測定結果または前記第２の測定結果をターゲットネットワークデバイスに報告するよう命令するために用いられるか、または、前記ユーザ機器に、第１のビーム、第３のビーム、および第４のビームのうち少なくとも１つに基づき、前記第２の測定結果を報告するよう命令するか、または、前記ユーザ機器に、第１のビーム、第３のビーム、および第４のビームのうち少なくとも１つを用いることによって取得されたセル測定結果に基づき、前記第１の測定結果を報告するよう命令する、請求項１に記載の測定報告方法。
【請求項１４】
前記第１のビームは、前記第１のネットワークデバイスにおける、前記ユーザ機器と通信するために用いられるビームであり、
前記第２のビームは、前記第１のネットワークデバイスに属さず、前記第２のビームが属するネットワークデバイスと、前記第１のネットワークデバイスとは、異なるネットワークデバイスグループに属し、
前記第３のビームは、第１のネットワークデバイスに属していないが、前記第３のビームが属するネットワークデバイスと、前記第１のネットワークデバイスとは、同じネットワークデバイスグループに属する、
請求項６、８、または１３に記載の測定報告方法。
【請求項１５】
前記第１のビームは、前記第１のネットワークデバイスにおける、前記ユーザ機器と通信するために用いられるビームであり、
前記第４のビームおよび前記第１のビームは両方とも、前記第１のネットワークデバイスに属するが、前記第４のビームは、前記第１のビームと異なる、
請求項７または８に記載の測定報告方法。
【請求項１６】
前記第１の測定結果は、ＲＲＣ層シグナリング物理層シグナリングまたはＭＡＣ層シグナリングを用いることによって報告され、前記第２の測定結果は、物理層シグナリングまたはＭＡＣ層シグナリングを用いることによって報告される、請求項１３に記載の測定報告方法。
【請求項１７】
前記ターゲットネットワークデバイスは、マクロ基地局、第１のネットワークデバイス、または、測定対象において示されているネットワークデバイスである、前記請求項１３に記載の測定報告方法。
【請求項１８】
前記第１のネットワークデバイスが、前記第１の情報および／または前記第２の情報を前記ユーザ機器へ送る前記段階は、
前記第１のネットワークデバイスが、物理層シグナリング、媒体アクセス制御ＭＡＣ層シグナリング、または無線リソース制御ＲＲＣ層シグナリングのうち少なくとも１つを用いることによって、前記第１の情報および／または前記第２の情報を送る段階を含む、
請求項１に記載の測定報告方法。
【請求項１９】
前記第２の情報はさらに、測定粒度、測定オフセット、測定遅れ、異なる測定結果をフィルタリングするための方法、測定する必要があるネットワークデバイス識別子またはビーム識別子またはビームペア識別子、およびフィードバックを行うために用いられるフィードバックリソースのうち少なくとも１つを含み、前記異なる測定結果は、ビーム測定結果、またはビーム測定結果に基づいて取得されたセル測定結果である、請求項１から１８の何れか一項に記載の測定報告方法。
【請求項２０】
前記測定結果は、測定によって取得されたビーム信号強度、測定または推定によって取得されたセル信号強度、ネットワークデバイス識別子、ビーム識別子、およびビームペア識別子のうち少なくとも１つを含む、請求項１から１８の何れか一項に記載の測定報告方法。
【請求項２１】
前記セル信号強度は、レイヤ１における参照信号受信電力ＲＳＲＰおよび／または参照信号受信品質ＲＳＲＱであるか、または、レイヤ２またはレイヤ３でフィルタリングした後に取得されたＲＳＲＰおよび／またはＲＳＲＱである、請求項２０に記載の測定報告方法。
【請求項２２】
前記第２の情報はさらに、測定対象リストを含み、前記測定対象リストは、前記ユーザ機器に、前記測定リストにおける第１の測定対象を測定するよう命令するために用いられる、請求項１から２１の何れか一項に記載の測定報告方法。
【請求項２３】
前記測定対象は、ネットワークデバイス識別子、周波数識別子、ビーム識別子、ネットワークデバイスグループ識別子、周波数グループ識別子、ビームグループ識別子、ネットワークデバイス識別子に黙示的に対応する参照信号、またはビーム識別子に黙示的に対応する参照信号のうち少なくとも１つである、請求項２２に記載の測定報告方法。
【請求項２４】
前記測定対象は、前記ユーザ機器によりフィードバックされた能力情報に基づいて設定され、前記能力情報は、前記ユーザ機器が、シングルコネクティビティ、デュアルコネクティビティ、またはマルチコネクティビティをサポートすること、または、前記ユーザ機器が単一のビームまたは複数のビームをサポートすることを示す情報である、請求項２２に記載の測定報告方法。
【請求項２５】
前記第１のネットワークデバイスは、第１の基地局、第１の送受信ポイントＴＲＰ、第１のセルが属する基地局、または第１のセルが属する送受信ポイントＴＲＰであり、前記第１のセルは、エンティティセルであり、前記第１の基地局は、マクロ基地局またはスモールセル基地局である、
請求項１から２４の何れか一項に記載の測定報告方法。
【請求項２６】
前記ネットワークデバイスグループは、相関を有する複数のネットワークデバイス、または相関を有する複数のバーチャルセルまたはスーパーセルを含み、前記バーチャルセルまたはスーパーセルは、１または複数のＴＲＰを含み、
前記相関は、隣接するという関係、または予め定められたルールに従って同じタイプに属するという関係である、
請求項３から５の何れか一項に記載の測定報告方法。
【請求項２７】
ユーザ機器が、第１のネットワークデバイスにより送信された第１の情報および／または第２の情報を受信する段階であって、前記第１の情報は、第１の閾値および／または第２の閾値を含み、前記第１の閾値は、第１のタイプの測定イベントをトリガするために用いられ、前記第２の閾値は、第２のタイプの測定イベントをトリガするために用いられる、段階と、
前記ユーザ機器が、前記第１の情報および／または前記第２の情報に基づき、測定を実行する段階と、
測定イベントが満たされたとき、前記ユーザ機器が、前記第２の情報に基づき、第１の測定結果および／または第２の測定結果を報告する段階であって、前記第１の測定結果は、セル測定結果であり、前記第２の測定結果はビーム測定結果である、段階と
を備える
測定報告方法。
【請求項２８】
前記第１のタイプは、セル変更、セル切り換え、またはセルハンドオーバーであり、前記第２のタイプは、ビーム変更またはビーム切り換えである、請求項２７に記載の測定報告方法。
【請求項２９】
前記第１のタイプは、一のグループのネットワークデバイス間で、具体的には、前記第１のネットワークデバイスが属するネットワークデバイスグループと、第２のネットワークデバイスが属するネットワークデバイスグループとの間で用いられる、請求項２７に記載の測定報告方法。
【請求項３０】
前記第２のタイプは、ネットワークデバイスグループ内で、またはネットワークデバイス内で、具体的には、前記第１のネットワークデバイスが属するネットワークデバイスグループにおける異なるネットワークデバイス間、または前記第１のネットワークデバイスにおける異なるビーム間で用いられる、請求項２７に記載の測定報告方法。
【請求項３１】
前記第１の情報はさらに、第３の閾値を含み、前記第３の閾値は、第３のタイプの測定イベントをトリガするために用いられ、
前記第２のタイプは、一のグループのネットワークデバイス内で、具体的には、前記第１のネットワークデバイスが属するネットワークデバイスグループにおける異なるネットワークデバイス間で用いられ、
前記第３のタイプは、ネットワークデバイス内で、具体的には、前記第１のネットワークデバイスにおける異なるビーム間で用いられる、
請求項２７に記載の測定報告方法。
【請求項３２】
前記第１のタイプの測定イベントは、第１のビームの測定結果が前記第１の閾値より劣っていること、および／または前記第２のビームの測定結果が前記第１の閾値より優れていること、および／または前記第２のビームの前記測定結果が前記第１のビームの前記測定結果より第１のオフセット値だけ優れていることであり、
前記第２のタイプの測定イベントは、前記第１のビームの前記測定結果が前記第２の閾値より劣っていること、および／または前記第３のビームの測定結果が前記第２の閾値より優れていること、および／または前記第３のビームの前記測定結果が前記第1のビームリンクの前記測定結果より第２のオフセット値だけ優れていることである、
請求項２７に記載の測定報告方法。
【請求項３３】
前記第３のタイプの測定イベントは、第１のビームの測定結果が前記第３の閾値より劣っていること、および／または前記第４のビームの測定結果が前記第３の閾値より優れていること、および／または前記第４のビームの前記測定結果が前記第１のビームの前記測定結果より第３のオフセット値だけ優れていることである、請求項３１に記載の測定報告方法。
【請求項３４】
前記第１の情報はさらに、第１のビームの数およびターゲットビームの数を含み、前記ターゲットビームは、第２のビーム、第３のビーム、または第４のビームのうち少なくとも１つである、請求項２７に記載の測定報告方法。
【請求項３５】
前記測定イベントはさらに、前記第１のビームの測定結果が第４の閾値より劣っていること、および／または前記第１のネットワークデバイスにおける接続ビームの数が第５の閾値未満であること、および、
前記ターゲットビームの測定結果が第６の閾値より優れていること、および／または前記ターゲットビームの数が第７の閾値より大きいこと
のうち少なくとも１つを含む、
請求項３４に記載の測定報告方法。
【請求項３６】
前記測定イベントは具体的に、
前記第１のビームの前記測定結果が前記第４の閾値より劣っていること、および／または前記第１のビームの数が前記第５の閾値未満であること、
前記ターゲットビームの前記測定結果が前記第１のネットワークデバイスの前記第１のビームの前記測定結果または前記第１のネットワークデバイスのセル測定結果より第４のオフセット値だけ優れていること、および／または前記ターゲットビームの数が前記第７の閾値より大きいこと、
前記ターゲットビームの前記測定結果が、前記第６の閾値より優れていること、および／または前記ターゲットビームの数が前記第７の閾値より大きいこと、
前記第１のネットワークデバイスのビームまたはセル測定結果が前記第４の閾値より劣っていること、および／または前記ターゲットビームの前記測定結果が前記第７の閾値より優れていること、および／または前記ターゲットビームの数が前記第７の閾値より大きいこと、および、
前記ターゲットビームの前記測定結果が前記第１のネットワークデバイスのセカンダリセルのビームまたはセル測定結果より第４のオフセット値だけ優れていること、および／または前記ターゲットビームの数が前記第７の閾値より大きいこと
のうち少なくとも１つを含む、
請求項３４または３５に記載の測定報告方法。
【請求項３７】
前記ターゲットビームの前記測定結果は、前記ターゲットビームのビーム測定結果、または前記ターゲットビームに基づいて取得されたセル測定結果である、請求項３４、３５または３６に記載の測定報告方法。
【請求項３８】
前記ユーザ機器が、前記第２の情報に基づき、測定を実行する前記段階は、
前記ユーザ機器が、前記第２の情報に基づき、ビーム測定結果の、またはセル測定結果の比較を行う段階を含む、請求項２７に記載の測定報告方法。
【請求項３９】
前記ユーザ機器が、前記第２の情報に基づき、第１の測定結果および／または第２の測定結果を報告する前記段階は、
前記ユーザ機器が、前記第２の情報の設定内容に基づき、および第２のビームに基づき、前記第１の測定結果を報告する段階、および／または、第１のビーム、第３のビーム、および第４のビームのうち少なくとも１つに基づき、前記第２の測定結果を報告する段階、および／または、前記第１のビーム、前記第３のビーム、および前記第４のビームのうち少なくとも１つを用いることによって取得されたセル測定結果に基づき、前記第１の測定結果を報告する段階を含む、請求項２７に記載の測定報告方法。
【請求項４０】
前記第１のビームは、前記第１のネットワークデバイスにおける、前記ユーザ機器と通信するために用いられるビームであり、
前記第２のビームは、前記第１のネットワークデバイスに属さず、前記第２のビームが属するネットワークデバイスと、前記第１のネットワークデバイスとは、異なるネットワークデバイスグループに属し、
前記第３のビームは、前記第１のネットワークデバイスに属していないが、前記第３のビームが属するネットワークデバイスと、前記第１のネットワークデバイスとは、同じネットワークデバイスグループに属する、
請求項３０、３２または３９に記載の測定報告方法。
【請求項４１】
前記第１のビームは、前記第１のネットワークデバイスにおける、前記ユーザ機器と通信するために用いられるビームであり、
前記第４のビームおよび前記第１のビームは両方とも、前記第１のネットワークデバイスに属するが、前記第４のビームは、前記第１のビームと異なる、
請求項３１、３２または３５に記載の測定報告方法。
【請求項４２】
前記ユーザ機器が、前記第２の情報に基づき、第１の測定結果および／または第２の測定結果を報告する前記段階は、
前記ユーザ機器が、ＲＲＣ層シグナリング、物理層シグナリング、またはＭＡＣ層シグナリングを用いることによって前記第１の測定結果を報告する段階と、物理層またはＭＡＣ層を用いることによって、前記第２の測定結果を報告する段階とを含む、請求項３９に記載の測定報告方法。
【請求項４３】
前記第２の情報はさらに、測定粒度、測定オフセット、測定遅れ、異なる測定結果をフィルタリングするための方法、測定する必要があるネットワークデバイス識別子またはビーム識別子またはビームペア識別子、およびフィードバックを行うために用いられるフィードバックリソースのうち少なくとも１つを含み、前記異なる測定結果は、ビームのタイプまたはセルのタイプに特有の測定結果である、請求項１から４２の何れか一項に記載の測定報告方法。
【請求項４４】
前記測定結果は、測定によって取得されたビーム信号強度、測定または推定によって取得されたセル信号強度、ネットワークデバイス識別子、ビーム識別子、およびビームペア識別子のうち少なくとも１つを含む、請求項１から４２の何れか一項に記載の測定報告方法。
【請求項４５】
前記セル信号強度は、レイヤ１における参照信号受信電力ＲＳＲＰおよび／または参照信号受信品質ＲＳＲＱ、または、レイヤ２またはレイヤ３でフィルタリングした後に取得されたＲＳＲＰおよび／またはＲＳＲＱである、請求項４３に記載の測定報告方法。
【請求項４６】
前記第２の情報はさらに、測定対象リストを含み、前記測定対象リストは、前記ユーザ機器に、前記測定リストにおける第１の測定対象を測定するよう命令するために用いられる、請求項２７から４４の何れか一項に記載の測定報告方法。
【請求項４７】
前記測定対象は、ネットワークデバイス識別子、周波数識別子、ビーム識別子、ネットワークデバイスグループ識別子、周波数グループ識別子、ビームグループ識別子、ネットワークデバイス識別子に黙示的に対応する参照信号、またはビーム識別子に黙示的に対応する参照信号のうち少なくとも１つである、請求項４６に記載の測定報告方法。
【請求項４８】
前記測定対象は、前記ユーザ機器によりフィードバックされた能力情報に基づいて設定され、前記能力情報は、前記ユーザ機器が、シングルコネクティビティ、デュアルコネクティビティ、またはマルチコネクティビティをサポートすること、または、前記ユーザ機器が単一のビームまたは複数のビームをサポートすることを示す情報である、請求項４６に記載の測定報告方法。
【請求項４９】
ネットワークデバイスであって、
ユーザ機器のために第１の情報および／または第２の情報を設定するよう構成される設定モジュールであって、前記第１の情報は、第１の閾値および／または第２の閾値を含み、前記第１の閾値は、第１のタイプの測定イベントをトリガするために用いられ、前記第２の閾値は、第２のタイプの測定イベントをトリガするために用いられ、前記第２の情報は、前記ユーザ機器に、第１の測定結果および／または第２の測定結果を報告するよう命令するために用いられ、前記第１の測定結果は、セル測定結果であり、前記第２の測定結果は、ビーム測定結果である、設定モジュールと、
測定イベントが満たされたとき、前記ユーザ機器が測定結果を前記ネットワークデバイスに報告するように、前記設定モジュールにより設定された前記第１の情報および／または前記第２の情報を前記ユーザ機器へ送るよう構成される送信モジュールと、
前記ユーザ機器により送信された前記測定結果を受信するよう構成される受信モジュールと
を備える
ネットワークデバイス。
【請求項５０】
第１のネットワークデバイスにより送信された第１の情報および／または第２の情報を受信するよう構成される受信モジュールであって、前記第１の情報は、第１の閾値および／または第２の閾値を含み、前記第１の閾値は、第１のタイプの測定イベントをトリガするために用いられ、前記第２の閾値は、第２のタイプの測定イベントをトリガするために用いられる、受信モジュールと、
前記受信モジュールにより受信された前記第１の情報および／または前記第２の情報に基づき、測定を実行するよう構成される測定モジュールと、
測定イベントが満たされたと前記測定モジュールが決定したとき、前記第２の情報に基づき、第１の測定結果および／または第２の測定結果を報告するよう構成される送信モジュールであって、前記第１の測定結果は、セル測定結果であり、前記第２の測定結果は、ビーム測定結果である、送信モジュールと
を備える
ユーザ機器。
【請求項５１】
ネットワークデバイスであって、
コンピュータ実行可能なプログラムコードを記憶するよう構成されるメモリと、
トランシーバと、
前記メモリおよび前記トランシーバと結合されるプロセッサと
を備え、
前記プログラムコードは、命令を含み、前記プロセッサが前記命令を実行したとき、前記命令は、
ユーザ機器のために第１の情報および／または第２の情報を設定する動作であって、前記第１の情報は第１の閾値および／または第２の閾値を含み、前記第１の閾値は、第１のタイプの測定イベントをトリガするために用いられ、前記第２の閾値は、第２のタイプの測定イベントをトリガするために用いられ、前記第２の情報は、前記ユーザ機器に、第１の測定結果および／または第２の測定結果を報告するよう命令するために用いられ、前記第１の測定結果はセル測定結果であり、前記第２の測定結果はビーム測定結果である、動作と、
測定イベントが満たされたとき、前記ユーザ機器が測定結果を前記ネットワークデバイスに報告するように、前記第１の情報および／または前記第２の情報を前記ユーザ機器へ送る動作と、
前記ユーザ機器により送信された前記測定結果を受信する動作とを前記ネットワークデバイスが実行することを可能とする、
ネットワークデバイス。
【請求項５２】
ユーザ機器であって、
コンピュータ実行可能なプログラムコードを記憶するよう構成されるメモリと、
トランシーバと、
前記メモリおよび前記トランシーバに結合されるプロセッサと
を備え、前記プログラムコードは、命令を含み、前記プロセッサが前記命令を実行したとき、前記命令は、
ネットワークデバイスにより送信された第１の情報および／または第２の情報を受信する動作であって、前記第１の情報は、第１の閾値および／または第２の閾値を含み、前記第１の閾値は、第１のタイプの測定イベントをトリガするために用いられ、前記第２の閾値は、第２のタイプの測定イベントをトリガするために用いられる、動作と、
前記第１の情報および／または前記第２の情報に基づき、測定を実行する動作と、
測定イベントが満たされたと決定されたとき、前記第２の情報に基づき、第１の測定結果および／または第２の測定結果を報告する動作であって、前記第１の測定結果は、セル測定結果であり、前記第２の測定結果はビーム測定結果である、動作とを前記ユーザ機器が実行することを可能とする、
ユーザ機器。
【発明の詳細な説明】
【技術分野】
【０００１】
本発明は、通信分野に関し、特に、測定報告方法および関連デバイスに関する。
【背景技術】
【０００２】
通信技術の継続的な発展に伴い、３ＧＨｚ未満の周波数を有する従来のスペクトルリソースが占有されており、既存の無線アクセス技術において、伝送速度がシャノン容量に近付いてきた。したがって、現在、モバイル通信のためにミリ波の使用についての研究が行われている。ミリ波システムにおいて、重要な制限が、ミリ波伝送ポイントとＵＥとの間の通信リンクが移動物体によって容易に妨害されることである。これは、ミリ波の固有特徴の結果であり、「接続の脆弱性」と称される。この問題を解決するため、以下の方法が適用され得る。十分な数のミリ波送受信ポイント（Ｔｒａｎｓｍｉｓｓｉｏｎ  ａｎｄ  Ｒｅｃｅｐｔｉｏｎ  Ｐｏｉｎｔ、略してＴＲＰ）を配置し、これにより、ユーザ機器ＵＥは、同じタイミングで複数のＴＲＰを空間的に多重化することができ、ユーザが向きを変えた、または携帯電話の向きが変わったとき、サービングビーム間の切り換えが実行され、これにより、ミリ波の通信品質を保証する。例えば、より高い周波数では、１つのセルのエリアが、複数の高利得の狭いビームによりカバーされ得る。異なるビームの回転パターンが重複してよい。水平方向をカバーするのみならず、垂直方向もカバーする数十のビームから数百のビームが存在してよい。異なるビームの回転パターンが重複し、無線環境（例えば、反射面および散乱）が変化するので、受信機が、複数のビームのカバレッジエリアに位置し得る。
【０００３】
ＵＥが狭いビーム間で移動するので、ＵＥの移動速度が非常に低い場合であっても、ＵＥの可動性が異なるビームの通信リンクに対して非常に大きな影響を与え得る。ＵＥの周りの無線環境も比較的速く変化し得て、したがって、ＵＥは、新しいビームを用いることによって通信を実行し得て、または、いくつかの現在の通信ビームが突然妨害され得る。
【０００４】
既存のＬＴＥ規格は、サービングセルおよび隣接セルの品質決定およびハンドオーバートリガなどのプロセスのために用いられる測定イベントを定義する。しかし、マルチコネクティビティのシナリオにおいて、ＵＥは、同じＴＲＰにおける異なるビームへのマルチリンクコネクティビティを構築する場合があり、または、ＵＥは、異なるＴＰＲのビームへのマルチリンクコネクティビティを構築する場合がある。したがって、従来の方法において、サービングセルおよび隣接セルの品質を決定するための方法は、ＵＥが異なる狭いビーム間で移動するときのハンドオーバートリガなどのプロセスにおける測定を満たすことができなくなった。
【発明の概要】
【０００５】
本発明の実施形態は、測定報告方法および関連デバイスを提供する。方法は、通信システムに適用され、通信システムは、センチ波通信システムまたはミリ波通信システムであってよい。通信システムは、複数のネットワークデバイスおよびユーザ機器を備える。ネットワークデバイスは、マクロ基地局、セルが属する基地局、セルが属する送受信ポイントＴＲＰ、ミクロ基地局、小型基地局、ピコ基地局、将来の５Ｇの基地局、または同様のものであってよい。ネットワークデバイスは代替的に、無線遠隔ユニット（Ｒａｄｉｏ  Ｒｅｍｏｔｅ  Ｕｎｉｔ、略してＲＲＵ）であってよい。ユーザ機器は、アクセスユーザ機器、加入者ユニット、加入者局、移動局、モバイルコンソール、遠隔局、遠隔ユーザ機器、モバイルデバイス、無線通信デバイス、ユーザエージェント、またはユーザ装置であってよい。アクセスユーザ機器は、携帯電話、コードレス電話機、セッション開始プロトコル（ｓｅｓｓｉｏｎ  ｉｎｉｔｉａｔｉｏｎ  ｐｒｏｔｏｃｏｌ，ＳＩＰ）電話、パーソナルデジタルアシスタント（ｐｅｒｓｏｎａｌ  ｄｉｇｉｔａｌ  ａｓｓｉｓｔａｎｔ、ＰＤＡ）、無線通信機能を有するハンドヘルドデバイス、無線モデムに接続されるコンピューティングデバイスまたは別の処理デバイス、車載デバイス、ウェアラブルデバイス、将来の５Ｇネットワーク内のユーザ機器、または同様のものであってよい。
【０００６】
第１の態様によれば、本発明の実施形態は、測定報告方法を提供し、当該測定報告方法は、第１のネットワークデバイスが、ユーザ機器ＵＥのために第１の情報および／または第２の情報を設定する段階であって、第１の情報および／または第２の情報は、測定設定情報であり、第１の情報は、第１の閾値および／または第２の閾値を含み、第１の閾値は、第１のタイプの測定イベントをトリガするために用いられ、第２の閾値は、第２のタイプの測定イベントをトリガするために用いられ、第２の情報は、ＵＥに、第１の測定結果および／または第２の測定結果を報告するよう命令するために用いられ、第１の測定結果は、セル測定結果であり、第２の測定結果はビーム測定結果である、段階と、測定イベントが満たされたとき、ＵＥが測定結果を第１のネットワークデバイスに報告するように、第１のネットワークデバイスが第１の情報および／または第２の情報を設定した後に、第１のネットワークデバイスが、第１の情報および／または第２の情報をＵＥへ送る段階とを備える。第１のネットワークデバイスは、プライマリＴＲＰであってよく、または、セカンダリＴＲＰ、またはＴＲＰ上のプライマリセルであってよい。本発明の本実施形態において、第１のネットワークデバイスは、異なるタイプの測定イベントを設定し、異なるタイプの測定イベントに基づき、異なる閾値を設定するか、および／または、第２の情報を設定し、ここで、第２の情報は、ＵＥに、異なるタイプの測定結果を報告するよう命令するために用いられる。これは、高密度のネットワークまたは超高密度のネットワークにおける高利得ビームカバレッジの特徴を完全に考慮し、ユーザ機器の可動性のために、ビーム測定によりよく適応し、将来の５Ｇネットワークにおける測定報告によりよく適応する。
【０００７】
可能な実装方式において、第１のタイプは、セル変更、セル切り換え、またはセルハンドオーバーであり、第２のタイプは、ビーム変更またはビーム切り換えである。セル変更は、セカンダリセルの追加または修正を指してよい。本発明の本実施形態において、閾値が、タイプに基づき測定イベントのために設定される。ユーザ機器の可動性に対して、セル変更はマクロ的に考慮され、ビーム測定イベントの設定もミクロ的に考慮され、それにより、報告された結果の複雑性を低減する。
【０００８】
可能な実装方式において、第１のタイプは一のグループのネットワークデバイス間で、具体的には、第１のネットワークデバイスが属するネットワークデバイスグループと、第２のネットワークデバイスが属するネットワークデバイスグループとの間で用いられる。
【０００９】
可能な実装方式において、第２のタイプは、ネットワークデバイスグループ内で、またはネットワークデバイス内で、具体的には、第１のネットワークデバイスが属するネットワークデバイスグループにおける異なるネットワークデバイス間で、または第１のネットワークデバイスにおける異なるビーム間で用いられる。
【００１０】
可能な実装方式において、第１の情報はさらに、第３の閾値を含み、第３の閾値は、第３のタイプの測定イベントをトリガするために用いられ、第２のタイプは、一のグループのネットワークデバイス内で、具体的には、第１のネットワークデバイスが属するネットワークデバイスグループにおける異なるネットワークデバイス間で用いられ、第３のタイプは、ネットワークデバイス内で、具体的には、第１のネットワークデバイスにおける異なるビーム間で用いられる。第１のタイプは、一のグループのネットワークデバイス間で、具体的には、第１のネットワークデバイスが属するネットワークデバイスグループと第２のネットワークデバイスが属するネットワークデバイスグループとの間で用いられる。第２のタイプは、ネットワークデバイスグループ内で、またはネットワークデバイス内で、具体的には、第１のネットワークデバイスが属するネットワークデバイスグループにおける異なるネットワークデバイス間で用いられる。第３のタイプは、ネットワークデバイス内で、具体的には、第１のネットワークデバイスにおける異なるビーム間で用いられてよい。
【００１１】
可能な実装方式において、第１のタイプの測定イベントは、第１のビームの測定結果が第１の閾値より劣っていること、および／または第２のビームの測定結果が第１の閾値より優れていること、および／または第２のビームの測定結果が第１のビームの測定結果より第１のオフセット値だけ優れていることであり、第２のタイプの測定イベントは、第１のビームの測定結果が第２の閾値より劣っていること、および／または第３のビームの測定結果が第２の閾値より優れていること、および／または第３のビームの測定結果が第1のビームリンクの測定結果より第２のオフセット値だけ優れていることである。第３のタイプの測定イベントは、第１のビームの測定結果が第３の閾値より劣っていること、および／または第４のビームの測定結果が第３の閾値より優れていること、および／または第４のビームの測定結果が第１のビームの測定結果より第３のオフセット値だけ優れていることである。第１のビームは、第１のネットワークデバイスにおける、ＵＥと通信するために用いられるビームである。第２のビームは、第１のネットワークデバイスに属さず、第２のビームが属するネットワークデバイス、および第１のネットワークデバイスは、異なるネットワークデバイスグループに属する。第３のビームは、第１のネットワークデバイスに属していないが、第３のビームが属するネットワークデバイスと、第１のネットワークデバイスとは、同じネットワークデバイスグループに属する。第４のビームおよび第１のビームは両方とも、第１のネットワークデバイスに属するが、第４のビームは、第１のビームと異なる。第２のビーム、第３のビーム、および第４のビームのうち少なくとも１つは、ターゲットビームと称されてよい。本発明の本実施形態において、例えば、ネットワークデバイスグループ間のレイヤ１、ネットワークデバイスグループにおける異なるネットワークデバイス間のレイヤ２、ネットワークデバイスにおけるレイヤ３のような異なるレイヤに対して、異なるタイプの測定イベントが設定され、異なる閾値は、異なるタイプの測定イベントに基づいて設定される。したがって、ＵＥは、異なるイベント設定に基づき、測定レポートを別々に報告してよく、ネットワークが、ビーム、ネットワークデバイス、およびネットワークデバイスグループに対して異なる動作を実行し、それにより、センチメートルレベルまたはミリ波システムまたは将来の超高密度のネットワークにおける無線リソースの管理に適応する。
【００１２】
可能な実装方式において、測定イベントがセルレベルの可動性に特有であるとき、情報伝送の信頼性を保証するため、情報は、無線リソース制御（Ｒａｄｉｏ  Ｒｅｓｏｕｒｃｅ  Ｃｏｎｔｒｏｌ、略してＲＲＣ）レベルのシグナリングを用いることによって伝送される必要がある。このようにして、マルチコネクティビティの信頼性を、リンクの数を用いることによって限定することができる。したがって、第１の情報の設定はさらに、第１のビームの数および／またはターゲットビームの数を含み、ターゲットビームは、第２のビーム、第３のビーム、または第４のビームのうち少なくとも１つである。セルレベルの可動性は通常、モバイル測定およびＴＲＰＧ間の報告を指す。
【００１３】
可能な実装方式において、ターゲットセルにおけるマルチコネクティビティのリンクの数は、閾値より大きく設定されてよく、それにより、ターゲットセルにおいては十分な数のリンクのマルチコネクティビティが存在することが保証される。ソースセルにおけるマルチコネクティビティのリンクの数は、閾値未満となるよう設定されてよく、それにより、ソースセルにおいてはマルチコネクティビティの比較的低い信頼性が示される。測定イベントはさらに、第１のビームの測定結果が第４の閾値より劣っていること、および／または第１のネットワークデバイスにおける接続ビームの数が第５の閾値未満であること、ターゲットビームの測定結果が第６の閾値より優れていること、および／またはターゲットビームの数が第７の閾値より大きいことのうち少なくとも１つを含む。
【００１４】
可能な実装方式において、測定イベントは具体的に、第１のビームの測定結果が第４の閾値より劣っていること、および／または第１のビームの数が第５の閾値未満であること、ターゲットビームの測定結果が、第１のネットワークデバイスの第１のビームのビーム測定結果、または第１のネットワークデバイスのセル測定結果より第４のオフセット値だけ優れていること、および／またはターゲットビームの数が第７の閾値より大きいこと、ターゲットビームの測定結果が第６の閾値より優れていること、および／またはターゲットビームの数が第７の閾値より大きいこと、第１のネットワークデバイスのビームまたはセル測定結果が第４の閾値より劣っていること、ターゲットビームの測定結果が第７の閾値より優れていること、および／またはターゲットビームの数が第７の閾値より大きいこと、ターゲットビームの測定結果が第１のネットワークデバイスのセカンダリセルのビームまたはセル測定結果より第４のオフセット値だけ優れていること、および／またはターゲットビームの数が第７の閾値より大きいことのうち少なくとも１つを含む。ターゲットビームの測定結果は、ターゲットビームのビーム測定結果、またはターゲットビームが属するネットワークデバイスのセル測定結果であってよい。本発明の本実施形態において、報告条件、すなわち、マルチコネクティビティのリンクの数がさらに測定イベントにおいて設定される。特にセルレベルの可動性測定において、サービングセルおよび隣接セルにおけるマルチコネクティビティのリンクの数が考慮され、測定セル品質の信頼性が向上する。これは、適さないセルへのハンドオーバー、またはピンポンハンドオーバーのリスクを著しく低減し、不適切なハンドオーバーにより引き起こされるＲＲＣシグナリングオーバーヘッドを低減することができる。
【００１５】
可能な実装方式において、第２の情報はさらに、ＵＥに、第２のビームに基づき、第１の測定結果または第２の測定結果をターゲットネットワークデバイスに報告するよう命令するために用いられ、または、第２の情報はさらに、ＵＥに、第１のビーム、第３のビーム、および第４のビームのうち少なくとも１つに基づき、第２の測定結果を報告するよう命令するか、または、ＵＥに、第１のビーム、第３のビーム、および第４のビームのうち少なくとも１つを用いることによって取得されたセル測定結果に基づき、第１の測定結果を報告するよう命令してよい。測定結果は、タイプに基づき、報告される。これは、ビーム測定結果を完全に考慮し、ネットワークデバイスによる報告された結果の処理の複雑性を低減する。さらに、第１の測定結果がマクロ基地局に報告されたことが設定されてよく、第１の測定結果および／または第２の測定結果は、第１のネットワークデバイスに報告され、これにより、マクロ基地局およびネットワークデバイスは別々に、異なる測定結果を処理し得て、測定結果処理効率が向上する。
【００１６】
可能な実装方式において、測定によって取得されたビームの数が要求を満たす前述の信頼性設定は、第１の閾値および／または第２の閾値とともに用いられてよい。
【００１７】
可能な実装方式において、第２の情報はさらに、ＵＥに、ビーム測定結果またはセル測定結果の比較を行うよう命令してよい。
【００１８】
可能な実装方式において、第２の情報はさらに、ターゲットビームと参照ビームとの間で一対一の対応する比較を行うよう命令してよく、ここで、一対一の対応する比較は、測定信号強度値の昇順または降順で対応する比較であってよい。可能な実装方式において、第２の情報はさらに、ターゲットビームを、参照ビームにおいて最良な信号強度を有する１つのビームまたはＮ個のビームと比較するよう命令してよく、ここで、Ｎは、２より大きいか、またはそれに等しい正の整数である。可能な実装方式において、第２の情報はさらに、ターゲットビームを、ルールに従って選択された参照ビームにおけるビームと比較するよう命令してよい。ルールは、ターゲットビームのビーム測定結果のフィルタリングまたは変換によって取得されたターゲットセル測定結果を、参照ビームが属するセルのセル測定結果と比較すること、または、ターゲットビームのビーム測定結果のフィルタリングまたは変換によって取得されたターゲットセル測定結果を、参照ビームのビーム測定結果と比較すること、または、ターゲットビームのビーム測定結果を参照ビームのビームまたはセル測定結果と比較すること、または同様のことであってよい。ターゲットビームが第２のビームであるとき、参照ビームは、第１のビーム、第３のビーム、および第４のビームのうち少なくとも１つであってよく、ターゲットビームが第３のビームであるとき、参照ビームは、第１のビームおよび第４のビームのうち少なくとも１つであってよく、または、ターゲットビームが第４のビームであるとき、参照ビームは第１のビームであってよい。セル測定結果は、様々な方式において実行されてよく、例えば、最良な信号強度を有するビームのビーム測定結果、または、最良な信号強度を有するＮ個のビームのビーム測定結果の線形または非線形平均値であってよい。
【００１９】
可能な実装方式において、ネットワークデバイスは、第２の情報において、ユーザ機器が定期的にまたはイベントに基づいて測定報告をトリガすることを設定してよい。イベントに基づくトリガは、ネットワーク側において設定されたイベントに基づいて実行されるか、またはユーザ機器の要求に基づいてユーザ機器により実行されるトリガであってよい。
【００２０】
可能な実装方式において、ネットワークデバイスは、ユーザ機器が第５のビーム集合を報告することを設定してよく、ネットワーク側は第６のビーム集合を決定する。第５のビーム集合は、測定イベントを満たす候補ビーム集合であり、第６のビーム集合は、通信ビーム集合、接続ビーム集合、またはサービングビーム集合である。第６のビーム集合は、第５のビーム集合のサブ集合である。第１のビームは、第６のビーム集合に属する。
【００２１】
可能な実装方式において、第１の情報および／または第２の情報は、物理層シグナリング、媒体アクセス制御ＭＡＣ層シグナリング、または無線リソース制御ＲＲＣ層シグナリングのうち少なくとも１つを用いることによって送られる。
【００２２】
可能な実装方式において、第１の測定結果は、ＲＲＣ層シグナリング、物理層シグナリング、またはＭＡＣ層シグナリングを用いることによって報告され、第２の測定結果は、物理層シグナリングまたはＭＡＣ層シグナリングを用いることによって報告される。
【００２３】
可能な実装方式において、ターゲットネットワークデバイスは、マクロ基地局、第１のネットワークデバイス、または、測定対象において示されているネットワークデバイスである。
【００２４】
可能な実装方式において、第２の情報はさらに、測定粒度、測定オフセット、測定遅れ、異なる測定結果をフィルタリングするための方法、測定することができるネットワークデバイス識別子またはビーム識別子またはビームペア識別子、およびフィードバックを行うために用いられるフィードバックリソースのうち少なくとも１つを含み、異なる測定結果は、ビーム測定結果、またはビーム測定結果に基づいて取得されたセル測定結果である。
【００２５】
可能な実装方式において、測定結果は、測定によって取得されたビーム信号強度、測定または推定によって取得されたセル信号強度、ネットワークデバイス識別子、ビーム識別子、およびビームペア識別子のうち少なくとも１つを含む。
【００２６】
可能な実装方式において、セル信号強度は、レイヤ１の参照信号受信電力ＲＳＲＰおよび／または参照信号受信品質ＲＳＲＱ、またはレイヤ２またはレイヤ３でフィルタリングした後に取得されたＲＳＲＰおよび／またはＲＳＲＱである。
【００２７】
可能な実装方式において、第２の情報はさらに、測定対象リストを含み、測定対象リストは、ＵＥに、測定リストにおける第１の測定対象を測定するよう命令するために用いられ、第１の測定対象は、測定対象のうちの一部である。第１のネットワークデバイスは、測定対象リストを設定してよく、これにより、ＵＥは、測定対象リストにおける測定対象を測定し、測定対象に対するブラインド検出を低減する。
【００２８】
可能な実装方式において、識別子は、異なる測定タスクを区別するために用いられ、ネットワークにわたって設定される。各測定識別子は、一意な測定対象および一意な報告設定群に対応する。ネットワークが設定を実行するとき、エアインターフェースのオーバーヘッドを低減するべく、ネットワークは、測定識別子において、測定対象の具体的な内容および測定識別子に対応する報告設定を直接記述しないが、測定タスクに対応する測定対象識別子および報告設定識別子のみを与える。測定対象は、ネットワークデバイス識別子、周波数識別子、ビーム識別子、ネットワークデバイスグループ識別子、周波数グループ識別子、ビームグループ識別子、ネットワークデバイス識別子に黙示的に対応する参照信号、またはビーム識別子に黙示的に対応する参照信号のうち少なくとも１つである。
【００２９】
可能な実装方式において、測定対象は、ＵＥによりフィードバックされた能力情報に基づいて設定され、能力情報は、ＵＥがシングルコネクティビティ、デュアルコネクティビティまたはマルチコネクティビティをサポートすること、またはＵＥが単一のビームまたは複数のビームをサポートすることを示す情報であり、これにより、ユーザ機器の無線リソース管理が、より多くの応用シナリオに適応する。
【００３０】
可能な実装方式において、第１のネットワークデバイスは、第１の基地局、第１の送受信ポイントＴＲＰ、第１のセルが属する基地局、または第１のセルが属する送受信ポイントＴＲＰであり、第１のセルは、エンティティセルであり、第１の基地局は、マクロ基地局またはスモールセル基地局である。
【００３１】
可能な実装方式において、ネットワークデバイスグループは、相関を有する複数のネットワークデバイス、または相関を有する複数のバーチャルセルまたはスーパーセルを含み、バーチャルセルまたはスーパーセルは、１または複数のＴＲＰを含み、相関は、隣接するという関係または予め定められたルールに従って同じタイプに属するという関係である。
【００３２】
第２の態様によれば、本発明の実施形態は、コンピュータ記憶媒体を提供し、当該コンピュータ記憶媒体は、前述のネットワークデバイスにより用いられるコンピュータソフトウェア命令を記憶するよう構成される。コンピュータソフトウェア命令は、前述の第１の態様を実行するよう設計されたプログラムを含む。
【００３３】
第３の態様によれば、本発明の実施形態は、前述の方法におけるネットワークサーバにより実際に実行される機能を有するネットワークデバイスを提供する。機能は、ハードウェアにより実行され得て、または対応するソフトウェアを実行するハードウェアにより実行され得る。ハードウェアまたはソフトウェアは、前述の機能に対応する１または複数のモジュールを含む。
【００３４】
第４の態様によれば、ネットワークデバイスの構造は、メモリと、トランシーバと、プロセッサとを含む。メモリは、コンピュータ実行可能なプログラムコードを記憶するよう構成され、トランシーバに結合される。プログラムコードは、命令を含み、プロセッサが命令を実行したとき、命令は、ネットワークデバイスが前述の方法における情報または命令を実行することを可能とする。
【００３５】
第５の態様によれば、本発明の実施形態はさらに、測定報告方法を提供し、当該測定報告方法は、ユーザ機器が、第１のネットワークデバイスにより送信された第１の情報および／または第２の情報を受信する段階であって、第１の情報は、第１の閾値および／または第２の閾値を含み、第１の閾値は、第１のタイプの測定イベントをトリガするために用いられ、第２の閾値は、第２のタイプの測定イベントをトリガするために用いられる、段階と、ＵＥが、第１の情報および／または第２の情報に基づき、測定を実行する段階と、測定イベントが満たされたとき、ＵＥが、第２の情報に基づき、第１の測定結果および／または第２の測定結果を報告する段階であって、第１の測定結果はセル測定結果であり、第２の測定結果はビーム測定結果である、段階とを備える。
【００３６】
可能な実装方式において、第１のタイプは、セル変更、セル切り換え、またはセルハンドオーバーであり、第２のタイプは、ビーム変更またはビーム切り換えである。
【００３７】
可能な実装方式において、第１のタイプは、一のグループのネットワークデバイス間で、具体的には、第１のネットワークデバイスが属するネットワークデバイスグループと、第２のネットワークデバイスが属するネットワークデバイスグループとの間で用いられる。
【００３８】
可能な実装方式において、第２のタイプは、ネットワークデバイスグループ内で、またはネットワークデバイス内で、具体的には、第１のネットワークデバイスが属するネットワークデバイスグループにおける異なるネットワークデバイス間で、または第１のネットワークデバイスにおける異なるビーム間で用いられる。
【００３９】
可能な実装方式において、第１の情報はさらに、第３の閾値を含み、第３の閾値は、測定イベントの第３のタイプをトリガするために用いられ、第２のタイプは、一のグループのネットワークデバイス内で、具体的には、第１のネットワークデバイスが属するネットワークデバイスグループにおける異なるネットワークデバイス間で用いられ、第３のタイプは、ネットワークデバイス内で、具体的には、第１のネットワークデバイスにおける異なるビーム間で用いられる。
【００４０】
可能な実装方式において、第１のタイプの測定イベントは、第１のビームの測定結果が第１の閾値より劣っていること、および／または第２のビームの測定結果が第１の閾値より優れていること、および／または第２のビームの測定結果が第１のビームの測定結果より第１のオフセット値だけ優れていること、第２のタイプの測定イベントは、第１のビームの測定結果が第２の閾値より劣っていること、および／または第３のビームの測定結果が第２の閾値より優れていること、および／または第３のビームの測定結果が第1のビームリンクの測定結果より第２のオフセット値だけ優れていることである。
【００４１】
可能な実装方式において、第３のタイプの測定イベントは、第１のビームの測定結果が第３の閾値より劣っていること、および／または第４のビームの測定結果が第３の閾値より優れていること、および／または第４のビームの測定結果が第１のビームの測定結果より第３のオフセット値だけ優れていることである。
【００４２】
可能な実装方式において、第１の情報はさらに、第１のビームの数およびターゲットビームの数を含み、ターゲットビームは、第２のビーム、第３のビーム、または第４のビームのうち少なくとも１つである。
【００４３】
可能な実装方式において、測定イベントはさらに、第１のビームの測定結果が第４の閾値より劣っていること、および／または第１のネットワークデバイスにおける接続ビームの数が第５の閾値未満であること、ターゲットビームの測定結果が第６の閾値より優れていること、および／またはターゲットビームの数が第７の閾値より大きいことのうち少なくとも１つを含む。
【００４４】
可能な実装方式において、測定イベントは具体的に、第１のビームの測定結果が第４の閾値より劣っていること、および／または第１のビームの数が第５の閾値未満であること、ターゲットビームの測定結果が第１のネットワークデバイスの第１のビームの測定結果または第１のネットワークデバイスのセル測定結果より第４のオフセット値だけ優れていること、および／またはターゲットビームの数が第７の閾値より大きいこと、ターゲットビームの測定結果が第６の閾値より優れていること、および／またはターゲットビームの数が第７の閾値より大きいこと、第１のネットワークデバイスのビームまたはセル測定結果が第４の閾値より劣っていること、および／またはターゲットビームの測定結果が第７の閾値より優れていること、および／またはターゲットビームの数が第７の閾値より大きいこと、ターゲットビームの測定結果が第１のネットワークデバイスのセカンダリセルのビームまたはセル測定結果より第４のオフセット値だけ優れていること、および／またはターゲットビームの数が第７の閾値より大きいことのうち少なくとも１つを含む。
【００４５】
可能な実装方式において、第２の情報はさらに、ＵＥに、第２のビームに基づき、第１の測定結果をターゲットネットワークデバイスに報告するよう命令するか、または、ＵＥに、第１のビームおよび／または第３のビームおよび／または第４のビームに基づき、第２の測定結果を報告するよう命令するか、または、ＵＥに、第１のビームおよび／または第３のビームおよび／または第４のビームを用いることによって取得されたセル測定結果に基づき、第１の測定結果を報告するよう命令するために用いられる。
【００４６】
可能な実装方式において、第１のビームは、第１のネットワークデバイスにおける、ＵＥと通信するために用いられるビームであり、第２のビームは、第１のネットワークデバイスに属さず、第２のビームが属するネットワークデバイスと、第１のネットワークデバイスとは、異なるネットワークデバイスグループに属し、第３のビームは、第１のネットワークデバイスに属していないが、第３のビームが属するネットワークデバイスと、第１のネットワークデバイスとは、同じネットワークデバイスグループに属する。
【００４７】
可能な実装方式において、第１のビームは、第１のネットワークデバイスにおける、ＵＥと通信するために用いられるビームであり、第４のビームおよび第１のビームは両方とも、第１のネットワークデバイスに属するが、第４のビームは、第１のビームと異なる。
【００４８】
可能な実装方式において、代替的に、ユーザ機器が第２の情報に基づいて測定を実行するための具体的な方法が、ユーザ機器が、第２の情報に基づいてビーム測定結果またはセル測定結果の比較を行うことであってよい。第１の測定結果は、ＲＲＣ層シグナリング、物理層シグナリング、またはＭＡＣ層シグナリングを用いることによって報告され、第２の測定結果は、物理層シグナリングまたはＭＡＣ層シグナリングを用いることによって報告される。
【００４９】
可能な実装方式において、第２の情報はさらに、測定粒度、測定オフセット、測定遅れ、異なる測定結果をフィルタリングするための方法、測定する必要があるネットワークデバイス識別子またはビーム識別子またはビームペア識別子、およびフィードバックを行うために用いられるフィードバックリソースのうち少なくとも１つを含み、異なる測定結果は、ビームのタイプまたはセルのタイプに特有の測定結果である。
【００５０】
可能な実装方式において、測定結果は、測定によって取得されたビーム信号強度、測定または推定によって取得されたセル信号強度、ネットワークデバイス識別子、ビーム識別子、およびビームペア識別子のうち少なくとも１つを含む。
【００５１】
可能な実装方式において、セル信号強度は、レイヤ１の参照信号受信電力ＲＳＲＰおよび／または参照信号受信品質ＲＳＲＱ、または、レイヤ２またはレイヤ３でフィルタリングした後に取得されたＲＳＲＰおよび／またはＲＳＲＱである。
【００５２】
可能な実装方式において、第２の情報はさらに、測定対象リストを含み、測定対象リストは、ユーザ機器に、測定リストにおける第１の測定対象を測定するよう命令するために用いられる。
【００５３】
可能な実装方式において、測定対象は、ネットワークデバイス識別子、周波数識別子、ビーム識別子、ネットワークデバイスグループ識別子、周波数グループ識別子、ビームグループ識別子、ネットワークデバイス識別子に黙示的に対応する参照信号、または、ビーム識別子に黙示的に対応する参照信号のうち少なくとも１つである。
【００５４】
可能な実装方式において、測定対象は、ユーザ機器によりフィードバックされた能力情報に基づいて設定され、能力情報は、ユーザ機器がシングルコネクティビティ、デュアルコネクティビティ、またはマルチコネクティビティをサポートすること、または、ユーザ機器が単一のビームまたは複数のビームをサポートすることを示す情報である。
【図面の簡単な説明】
【００５５】
【図１】本発明の一実施形態に係る通信システムの概略アーキテクチャ図である。
【図２】本発明の一実施形態に係る、ユーザ機器と１つのネットワークデバイスとの間のビーム伝送のシナリオの概略図である。
【図３】本発明の一実施形態に係る、ユーザ機器とネットワークデバイスグループにおける異なるネットワークデバイスとの間のビームコネクティビティのシナリオの概略図である。
【図４】本発明の一実施形態に係る、ユーザ機器と、異なるネットワークデバイスグループに属するネットワークデバイスとの間のコネクティビティのシナリオの概略図である。
【図５】本発明の一実施形態に係るユーザ機器の移動プロセスのシナリオの概略図である。
【図６】本発明の一実施形態に係る測定報告方法の実施形態の概略フローチャートである。
【図７】本発明の一実施形態に係る異なるタイプのビームの概略図である。
【図８】本発明の一実施形態に係るネットワークデバイスの実施形態の概略構造図である。
【図９】本発明の一実施形態に係るネットワークデバイスの別の実施形態の概略構造図である。
【図１０】本発明の一実施形態に係るユーザ機器の実施形態の概略構造図である。
【図１１】本発明の一実施形態に係るユーザ機器の別の実施形態の概略構造図である。
【発明を実施するための形態】
【００５６】
以下では、本発明の実施形態における添付図面を参照して、本発明の実施形態における技術的解決手段を明確に、かつ完全に説明する。明らかに、説明される実施形態は単に、本発明の実施形態の一部であり、全てではない。当業者により創造的努力なく本発明の実施形態に基づいて取得される他の全ての実施形態は、本発明の保護範囲内に含まれるものとする。
【００５７】
本発明の明細書、特許請求の範囲、および添付図面において、「第１の」、「第２の」、「第３」、「第４の」等など（存在する場合）の用語は、同様の対象を区別することを意図しており、必ずしも特定の順序またはシーケンスを示すものではない。そのように称されているデータは、適切な状況において交換可能であり、これにより、本明細書において説明されている実施形態は、本明細書において示されている、または説明されている順序と異なる他の順序で実行されることができることが、理解されるべきである。加えて、「含む（ｉｎｃｌｕｄｅ）」、「有する（ｈａｖｅ）」という用語、およびその任意の変形は、非排他的包含を含むことを意図する。例えば、一連の段階またはユニットを含むプロセス、方法、システム、製品、またはデバイスは、必ずしも明示的に列挙されているそれらの段階またはユニットに限定されるものではなく、明示的に列挙されていない、またはそのような処理、方法、システム、製品、またはデバイスに固有の他の段階またはユニットを含んでよい。
【００５８】
本発明の実施形態は、測定報告方法を提供する。方法は、通信システムに適用され、通信システムは、センチ波通信システムまたはミリ波通信システムであってよい。図１は、本発明の一実施形態に係る通信システム１００の概略アーキテクチャ図である。通信システムは、マクロ基地局１１０を備える。マクロ基地局１１０は、複数のセルを含む。各セルは、１または複数のネットワークデバイス１２０を含む。各セルが複数のネットワークデバイス１２０を含むとき、複数のネットワークデバイスは、ネットワークデバイスグループ１３０と称され、または、ネットワークデバイスグループ１３０は、複数のネットワークデバイス１２０を含むことが理解され得る。ネットワークデバイスグループ１３０の信号カバレッジエリアは、１つのセルであり、１つのネットワークデバイス１２０の信号カバレッジエリアは、１つのスモールセルであってよい。ネットワークデバイス１２０は、送受信ポイント（Ｔｒａｎｓｍｉｓｓｉｏｎ  ａｎｄ  Ｒｅｃｅｐｔｉｏｎ  Ｐｏｉｎｔ、略してＴＲＰ）、すなわち、情報を送信し、情報を受信するためのノードであってよい。ＴＲＰは、物理ノードであり、複数のアンテナユニットが物理ノードのために設定される。異なる送受信ポイントが地理的に分けられ、または、セクタに区分されてよい。ネットワークデバイスグループ１３０は、送受信ポイントグループ（Ｔｒａｎｓｍｉｓｓｉｏｎ  ａｎｄ  Ｒｅｃｅｐｔｉｏｎ  Ｐｏｉｎｔ  Ｇｒｏｕｐ、略してＴＲＰＧ）であってよい。ネットワークデバイスは代替的に、マクロ基地局、セルが属する基地局、セルが属する送受信ポイントＴＲＰ、ミクロ基地局、小型基地局、ピコ基地局、将来の５Ｇの基地局、または同様のものであってよい。ネットワークデバイスは代替的に、無線遠隔ユニット（Ｒａｄｉｏ  Ｒｅｍｏｔｅ  Ｕｎｉｔ、略してＲＲＵ）であってよい。基地局における無線周波数モジュールが、光ファイバを用いることによって遠隔無線周波数ユニットに接続され、遠隔無線周波数ユニットは、ネットワークプランニングによって決定されたステーションに配される。
【００５９】
図１に示されているように、本発明の本実施形態において、ネットワークデバイスは、例としてＴＲＰを用いることによって説明される。例えば、ＴＲＰＧ１、すなわち、第１のネットワークデバイスグループは、ＴＲＰ１、ＴＲＰ２、およびＴＲＰ３を含み、ＴＲＰＧ２、すなわち、第２のネットワークデバイスグループは、ＴＲＰ４、ＴＲＰ５、およびＴＲＰ６を含み、ＴＲＰＧ３、すなわち、第３のネットワークデバイスグループは、ＴＲＰ７、ＴＲＰ８、およびＴＲＰ９を含む。ネットワークデバイスグループは、相関を有する複数のネットワークデバイス、または相関を有する複数のバーチャルセルまたはスーパーセルを含む。バーチャルセルまたはスーパーセルは、１または複数のＴＲＰを含む。相関は、隣接するという関係、または予め定められたルールに従って同じタイプに属するという関係である。ネットワークデバイスグループにおいて含まれるネットワークデバイスの数およびネットワークデバイスの数は、単に説明の便宜上の例であり、本発明に対する限定を構成しないことに留意されたい。
【００６０】
１つのセルまたはスモールセルのエリアは、複数の高利得の狭いビーム（ｂｅａｍ）によりカバーされ得る。異なるビームの回転パターンは、重複してよく、これにより、例えば、セルのエリア全体における共通制御チャネルに対して安定カバレッジを提供する。水平方向だけをカバーするのでなく、垂直方向もカバーする数十のビームから数百のビームが存在してよい。ユーザ機器１４０がセルにおいて、およびセル間において移動するとき、ユーザ機器は、少なくとも２つのビームをサポートし得る。ユーザ機器が複数の送信および受信ビームをサポートすることができるとき、ユーザ機器は、同じＴＲＰ、または同じＴＲＰＧにおける異なるＴＲＰ、または異なるＴＲＰＧに属する異なるＴＲＰに接続されてよい。これは、図１から図４を参照して理解され得る。図２は、ユーザ機器と１つのネットワークデバイスとの間のビームコネクティビティのシナリオの概略図である。図３は、ユーザ機器と、ネットワークデバイスグループにおける異なるネットワークデバイスとの間のビームコネクティビティのシナリオの概略図である。図４は、ユーザ機器と、異なるネットワークデバイスグループに属するネットワークデバイスとの間のコネクティビティのシナリオの概略図である。留意されたいのが、ユーザ機器は、無線アクセスネットワーク（ｒａｄｉｏ  ａｃｃｅｓｓ  ｎｅｔｗｏｒｋ、ＲＡＮ）を介して１または複数のコアネットワークと通信してよく、ユーザ機器（ｕｓｅｒ  ｅｑｕｉｐｍｅｎｔ、ＵＥ）は、アクセスユーザ機器、加入者ユニット、加入者局、移動局、モバイルコンソール、遠隔局、遠隔ユーザ機器、モバイルデバイス、無線通信デバイス、ユーザエージェント、またはユーザ装置であってよい。アクセスユーザ機器は、携帯電話、コードレス電話機、セッション開始プロトコル（ｓｅｓｓｉｏｎ  ｉｎｉｔｉａｔｉｏｎ  ｐｒｏｔｏｃｏｌ、ＳＩＰ）電話、パーソナルデジタルアシスタント（ｐｅｒｓｏｎａｌ  ｄｉｇｉｔａｌ  ａｓｓｉｓｔａｎｔ、ＰＤＡ）、無線通信機能を有するハンドヘルドデバイス、無線モデムに接続されるコンピューティングデバイスまたは別の処理デバイス、車載デバイス、ウェアラブルデバイス、将来の５Ｇネットワークにおけるユーザ機器、または同様のものであってよい。
【００６１】
ハンドオーバー処理は通常、サービングセルおよび隣接セルの測定イベントの比較によりトリガされる。複数のビームがサービングセルおよび隣接セルに対して考慮されたとき、サービングセルと隣接セルとの間の比較がより複雑となる。図５は、ユーザ機器の移動プロセスのシナリオの概略図である。ユーザ機器が位置Ａから位置Ａ１へ、および、位置Ａ１から位置Ｂへ移動し、位置Ｃ１へ移動するまでのプロセスにおいて、検出される異なるビームに対して、ユーザ機器は、セル識別子およびビーム識別子を検出し得る。例えば、図５のビーム（１，１）は、ビームが第１のセルにおいて１として識別されたビームであることを示す。ＵＥが第１のセルから第３のセルへ移動したとき、ＵＥは、各セルにおいて４つのビームを検出し得る。複数のビームが存在する場合、複数のビームは、ＵＥが測定を実行するとき、考慮される必要がある。
【００６２】
図６を参照して、以下では、本発明において提供されている測定報告方法の実施形態を詳細に説明する。
【００６３】
段階６０１：第１のネットワークデバイスがユーザ機器ＵＥのために第１の情報および／または第２の情報を設定し、ここで、第１の情報は、第１の閾値および／または第２の閾値を含み、第１の閾値は、第１のタイプの測定イベントをトリガするために用いられ、第２の閾値は、第２のタイプの測定イベントをトリガするために用いられる。
【００６４】
第１のネットワークデバイスは、プライマリＴＲＰであってよく、または、セカンダリＴＲＰ、もしくはＴＲＰ上のプライマリセル（ｐｒｉｍａｒｙ  ｃｅｌｌ）であってよい。プライマリＴＲＰおよびセカンダリＴＲＰは両方とも、ユーザ機器のサービスＴＲＰである。プライマリＴＲＰは、ユーザ機器に接続されるＴＲＰのうち最初にユーザ機器に接続されるＴＲＰである。
【００６５】
報告設定コマンドは、測定を実行するようＵＥをガイドするために用いられてよい。報告設定コマンドは、特定の条件が満たされたときのみ、報告をトリガする方式で測定および報告を実行するようＵＥをガイドする。本発明の本実施形態において、トリガタイプは、イベントによりトリガされる報告であり、測定イベントおよび関連閾値が、イベントによりトリガされる報告に対して設定される必要がある。
【００６６】
以下では、測定イベントおよび関連閾値の関連設定内容を別々に説明する。
【００６７】
１．異なるタイプの測定イベントに対する異なる閾値の設定
第１の可能な実装方式において、第１のタイプは、セル変更、セル切り換え、またはセルハンドオーバーであり、第２のタイプは、ビーム変更またはビーム切り換えである。
【００６８】
第２の可能な実装方式において、（１）第１のタイプは、一のグループのネットワークデバイス間で、具体的には、第１のネットワークデバイスが属するネットワークデバイスグループと第２のネットワークデバイスが属するネットワークデバイスグループとの間で、例えば、理解するために図１から図５を参照して、ＴＲＰＧ１におけるＴＲＰ１のビームと、ＴＲＰＧ３におけるＴＲＰ８のビームとの間で用いられ、（２）第２のタイプは、ネットワークデバイスグループまたはネットワークデバイス内で、具体的には、第１のネットワークデバイスが属するネットワークデバイスグループにおける異なるネットワークデバイス間で、例えば、ＴＲＰＧ１におけるＴＲＰ１のビームとＴＲＰＧ１におけるＴＲＰ２のビームとの間で、または、第１のネットワークデバイスにおける異なるビーム間で、例えば、ＴＲＰ１におけるビーム間で用いられる。
【００６９】
第３の可能な実装方式において、第１の情報はさらに、第３の閾値を含み、第３の閾値は、第３のタイプの測定イベントをトリガするために用いられる。（１）第１のタイプは、一のグループのネットワークデバイス間で、具体的には、第１のネットワークデバイスが属するネットワークデバイスグループと、第２のネットワークデバイスが属するネットワークデバイスグループとの間で用いられる。（２）第２のタイプは、ネットワークデバイスグループ内で、またはネットワークデバイス内で、具体的には、第１のネットワークデバイスが属するネットワークデバイスグループにおける異なるネットワークデバイス間で用いられる。（３）第３のタイプは、ネットワークデバイス内で、具体的には、第１のネットワークデバイスにおける異なるビーム間で用いられる。
【００７０】
本発明の本実施形態において、第３の可能な実装方式は、測定イベントのタイプ毎の設定を具体的に説明するための例として用いられてよい。ユーザ機器がビームを検出したとき、４つのタイプのビームが含まれる。これは、図７を参照して理解され得る。図７は、異なるタイプのビームの概略図である。
４つのタイプのビームは、
第１のビーム７１１、すなわち、第１のネットワークデバイス７１０における、ＵＥと通信するために用いられるビーム、
第２のビーム７３１、すなわち、第１のネットワークデバイス７１０に属していないビームであって、第２のビーム７３１が属するネットワークデバイス７３０と第１のネットワークデバイス７１０とは異なるネットワークデバイスグループに属する、ビーム、
第３のビーム７２１、すなわち、第１のネットワークデバイス７１０に属していないビームであって、第３のビーム７２１が属するネットワークデバイス７２０と第１のネットワークデバイスとは同じネットワークデバイスグループ７００に属する、ビーム、および、
第４のビーム７１２であって、第４のビーム７１２および第１のビームは両方とも第１のネットワークデバイス７１０に属し、第４のビームは第１のビームと異なる、第４のビーム７１２である。
【００７１】
第１のタイプの測定イベントは、第１のビーム７１１の測定結果が第１の閾値より劣っていること、および／または第２のビーム７３１の測定結果が第１の閾値より優れていること、および／または第２のビーム７３１の測定結果が第１のビーム７１１の測定結果より第１のオフセット値だけ優れていることである。
【００７２】
第２のタイプの測定イベントは、第１のビーム７１１の測定結果が第２の閾値より劣っていること、および／または第３のビーム７２１の測定結果が第２の閾値より優れていること、および／または第３のビーム７２１の測定結果が第１のビーム７１１の測定結果より第２のオフセット値だけ優れていることである。
【００７３】
第３のタイプの測定イベントは、第１のビーム７１１の測定結果が第３の閾値より劣っていること、および／または第４のビーム７１２の測定結果が第３の閾値より優れていること、および／または第４のビーム７１２の測定結果が第１のビーム７１１の測定結果より第３のオフセット値だけ優れていることである。
【００７４】
好ましくは、第１の閾値は、第２の閾値より大きく、第２の閾値は、第３の閾値より大きいか、またはそれに等しい。
【００７５】
本発明の本実施形態において、異なるレイヤに対して、例えば、ＴＲＰＧ間のレイヤ１、ＴＲＰＧにおける異なるＴＲＰ間のレイヤ２、およびＴＲＰ内のレイヤ３に対して、異なるタイプの測定イベントが設定され、異なる閾値が、異なるタイプの測定イベントに対して設定される。ＴＲＰＧ間の（レイヤ１での）可動性測定設定については、比較的高い閾値が設定される必要がある。これは、そのようなセルレベルの可動性によってＲＲＣシグナリングを用いた転送が必要となるからである。ここで、ビーム測定結果に加えて、セル測定結果も考慮される必要がある。ＴＲＰＧ内の（レイヤ２での）可動性測定設定については、比較的低い閾値が設定される必要がある。これは、そのようなビームレベルの可動性によってＲＲＣシグナリングを用いた転送が必要とされないからである。ここで、ビーム測定結果のみが考慮され、セル測定結果は要求されない。同様に、ＴＲＰ内の（レイヤ３での）可動性測定設定は、ＲＲＣシグナリングを用いた転送を要求せず、比較的低い閾値が設定されてもよい。ＴＲＰ内のビーム切り換えは、ＴＲＰ間のビーム切り換えより低い報告閾値を要求する。さらに、再定義された測定イベントは、以下の通りであってよい。
【００７６】
ＴＲＰまたはＴＲＰＧ内の隣接ビームは、プライマリセル（ｐｒｉｍａｒｙ  ｃｅｌｌ、ＰＣｅｌｌ）におけるビームよりオフセット値（ｏｆｆｓｅｔ  １）だけ優れており、ＴＲＰＧ間の隣接ビームは、ＰＣｅｌｌよりオフセット値（ｏｆｆｓｅｔ  ２）だけ優れている。
【００７７】
ＴＲＰまたはＴＲＰＧ内の隣接ビームは、セカンダリセル（Ｓｅｃｏｎｄａｒｙ  ｃｅｌｌ、ＳＣｅｌｌ）におけるビームよりオフセット値（ｏｆｆｓｅｔ  １'）だけ優れており、ＴＲＰＧ間の隣接ビームは、ＳＣｅｌｌよりオフセット値（ｏｆｆｓｅｔ  ２'）だけ優れている。
【００７８】
任意選択的に、別の可能な実施方式において、第１の情報における閾値は、第１のネットワークデバイスにより動的に調整されてよい。したがって、第１のネットワークデバイスは、ＵＥが最良なビームもしくはビームペアのみを報告するように閾値の設定を制御してよく、または、ＵＥが最良なＮ個のビームもしくは最良なＮ個のビームペアを報告するように閾値の設定を制御してよい。Ｎは、１より大きいか、またはそれに等しい正の整数である。ビームペアは、ビームの組み合わせ、すなわち、送信ビームおよび受信ビームの組み合わせとして理解されてよい。送信ビームは、ＴＲＰの送信ビームであり、受信ビームは、ＵＥの受信ビームである。加えて、アップリンク測定が実行される場合、送信ビームは、ＵＥの送信ビームであり、受信ビームは、ＴＲＰの受信ビームである。
【００７９】
別の可能な実施方式において、第１のネットワークデバイスは、第１の情報を設定し、第１の情報は、第１のネットワークデバイスが、ＵＥを、最良なビームもしくはビームペアを報告するよう、または最良なＮ個のビームもしくは最良なＮ個のビームペアを報告するよう直接設定することを示してよい。
【００８０】
本発明の本実施形態において、異なる閾値が、異なるタイプの測定イベントに対して設定され、これにより、ＵＥは、異なるイベント設定に基づき、測定レポートを別々に報告してよく、ネットワークは、ビーム、ネットワークデバイス、およびネットワークデバイスグループに対して、無線リソースを追加する、削除する、および切り換える動作などの異なる動作を実行し、それにより、ミリ波システムにおける無線リソースの管理に適応する。
【００８１】
２．セルレベルの可動性に対する測定イベントの設定および関連閾値
測定イベントがビームレベルの可動性に特有であるとき、情報は、媒体アクセス制御（Ｍｅｄｉａ  Ａｃｃｅｓｓ  Ｃｏｎｔｒｏｌ、略してＭＡＣ）レベルまたは物理層（ｐｈｙｓｉｃａｌ  ｌａｙｅｒ、略してＰＨＹ）レベルでのシグナリングを用いることによって第１のネットワークデバイスとユーザ機器との間で伝送されてよい。測定イベントがセルレベルの可動性（例えば、異なるＴＲＰＧ間のハンドオーバー）に特有であるとき、情報伝送の信頼性を保証するために、情報は、無線リソース制御（Ｒａｄｉｏ  Ｒｅｓｏｕｒｃｅ  Ｃｏｎｔｒｏｌ、略してＲＲＣ）レベルでのシグナリングを用いることによって伝送される必要がある。このようにして、マルチコネクティビティの信頼性はさらに、リンクの数を用いることによって限定されることができる。例えば、ターゲットセルにおけるマルチコネクティビティのリンクの数は、閾値より大きく設定されてよく、それにより、ターゲットセルにおいては十分な数のリンクのマルチコネクティビティが存在することが保証される。ソースセルにおけるマルチコネクティビティのリンクの数は、閾値未満であるよう設定されてよく、それにより、ソースセルにおいてはマルチコネクティビティの比較的低い信頼性が示される。
【００８２】
したがって、第１の情報はさらに、第１のビームの数およびターゲットビームの数を含み、ターゲットビームは、第２のビーム、第３のビーム、または第４のビームのうち少なくとも１つである。
【００８３】
例えば、測定イベントは具体的に、第１のビームの測定結果が第４の閾値より劣っていること、および／または第１のビームの数が第５の閾値未満であること、ターゲットビームの測定結果が第１のネットワークデバイスの第１のビームのセル測定結果または第１のネットワークデバイスの測定結果より第４のオフセット値だけ優れていること、および／またはターゲットビームの数が第７の閾値より大きいこと、ターゲットビームの測定結果が第６の閾値より優れていること、および／またはターゲットビームの数が第７の閾値より大きいこと、第１のネットワークデバイスのビームまたはセル測定結果が第４の閾値より劣っており、第７の閾値より優れていること、および／またはターゲットビームの数が第７の閾値より大きいこと、ならびに、ターゲットビームの測定結果が第１のネットワークデバイスのセカンダリセルのビームまたはセル測定結果より第４のオフセット値だけ優れていること、および／またはターゲットビームの数が第７の閾値より大きいことのうち少なくとも１つを含む。
【００８４】
本発明の本実施形態において、報告条件、すなわち、マルチコネクティビティのリンクの数はさらに、測定イベントにおいて設定される。特にセルレベルの可動性において、サービングセルおよび隣接セルにおけるマルチコネクティビティのリンクの数が考慮され、測定セル品質のための信頼性が向上する。これは、適さないセルへのハンドオーバー、またはピンポンハンドオーバーのリスクを著しく低減し、不適切なハンドオーバーにより引き起こされるＲＲＣシグナリングオーバーヘッドを低減することができる。
【００８５】
３．測定報告のための設定
第２の情報は、測定報告のための設定情報を含む。第２の情報はさらに、ＵＥに、第２のビームに基づき、第１の測定結果をターゲットネットワークデバイスに報告するよう命令するために用いられる。
【００８６】
別の可能な実施方式において、第２の情報はさらに、ＵＥに、第１のビームおよび／または第３のビームおよび／または第４のビームに基づき、第２の測定結果を報告するよう命令するか、または、ＵＥに、第１のビームおよび／または第３のビームおよび／または第４のビームを用いることによって取得されるセル測定結果に基づき、第１の測定結果を報告するよう命令するために用いられる。測定結果は、タイプに基づき、報告される。これは、ビーム測定結果を完全に考慮し、報告された結果のネットワークデバイスによる処理の複雑性を低減する。容易に理解するために、前述の３つの測定結果は、表１を用いることによって比較される。表１を参照されたい。
［表１］
【表１】
2019532586.tif 000003
【００８７】
ターゲットネットワークデバイスは、マクロ基地局、第１のネットワークデバイス、または測定対象において示されているネットワークデバイスである。例えば、実際の応用において、第１の測定結果がマクロ基地局に報告され、第２の測定結果が第１のネットワークデバイスに報告されるか、または第１の測定結果および／または第２の測定結果が第１のネットワークデバイスに報告されると設定されてよく、これにより、マクロ基地局およびネットワークデバイスは別々に、異なる測定結果を処理し得て、測定結果処理効率が向上する。
【００８８】
第２の情報はさらに、測定粒度、測定オフセット、測定遅れ、異なる測定結果をフィルタリングするための方法、測定する必要があるネットワークデバイス識別子またはビーム識別子またはビームペア識別子、およびフィードバックを行うために用いられるフィードバックリソースのうち少なくとも１つを含む。異なる測定結果は、ビームまたはセルのタイプに特有の測定結果である。フィードバックリソースは、時間領域、周波数領域、または空間のリソースを含む。空間のリソースは、ビーム識別子である。第２の情報はさらに、ハンドオーバーメッセージ、ビーム追加要求メッセージ、またはビーム修正要求メッセージなどのメッセージを含んでよい。メッセージは、セル識別子および／またはビーム識別子を含む。
【００８９】
測定結果は、測定によって取得されたビーム信号強度、測定または推定によって取得されたセル信号強度、ネットワークデバイス識別子、ビーム識別子、およびビームペア識別子のうち少なくとも１つを含む。
【００９０】
セル信号強度は、レイヤ１での参照信号受信電力（Ｒｅｆｅｒｅｎｃｅ  Ｓｉｇｎａｌ  Ｒｅｃｅｉｖｅｄ  Ｐｏｗｅｒ、略してＲＳＲＰ）、および／または参照信号受信品質（Ｒｅｆｅｒｅｎｃｅ  Ｓｉｇｎａｌ  Ｒｅｃｅｉｖｅｄ  Ｑｕａｌｉｔｙ、略してＲＳＲＱ）、または、レイヤ２またはレイヤ３でフィルタリングした後に取得されたＲＳＲＰおよび／またはＲＳＲＱである。レイヤ１は物理層であり、レイヤ２はＭＡＣ層であり、レイヤ３はＲＲＣ層である。
【００９１】
さらに、第２の情報はさらに、測定対象リストを含み、測定対象リストは、ＵＥに、測定リストにおける第１の測定対象を測定するよう命令するために用いられ、第１の測定対象は、複数の測定対象のうちのいくつかである。第１のネットワークデバイスは、測定対象リストを設定して得て、これにより、ＵＥは、測定対象リストにおける測定対象を測定し、測定対象に対するブラインド検出を低減する。別の可能な実施方式において第１のネットワークデバイスは代替的に、ブラックリストを設定してよい（例えば、セルが非常に弱い信号または非常に高い負荷を有することが発見されたとき）。ブラックリストにおける全ての測定対象は、ＵＥ測定対象から除外されるべきである。ブラックリストの設定は、測定柔軟性を増加させる。
【００９２】
可能な実装方式において、測定対象は、ネットワークデバイス識別子、周波数識別子、ビーム識別子、ネットワークデバイスグループ識別子、周波数グループ識別子、およびビームグループ識別子のうち少なくとも１つである。識別子は、異なる測定タスクを区別するために用いられ、ネットワークにわたって設定される。各測定識別子は、一意な測定対象および一意な報告設定群に対応する。ネットワークが設定を実行するとき、エアインターフェースのオーバーヘッドを低減するべく、ネットワークは、測定識別子において、測定識別子に対応する測定対象および報告設定の具体的な内容を直接記述せず、測定タスクに対応する測定対象識別子および報告設定識別子のみを与える。例えば、測定対象は、同一周波数内測定および異周波数間測定を含んでよい。同一周波数内測定は、ＵＥにより測定を実行するために用いられるパイロット信号が、周波数がＵＥのサービングビームの周波数と同じ、またはＵＥのサービングセルのキャリアの周波数と同じであるキャリアから入来することを意味する。異周波数間測定は、ＵＥにより測定を実行するために用いられるパイロット信号が、周波数がＵＥのサービングビームの周波数と異なる、またはＵＥのサービングセルのキャリアの周波数と異なるキャリアから入来することを意味する。各測定対象は、一意な測定対象識別子を有し、１つの周波数に対応する。１つの周波数は、複数のセルに対応する。測定を実行するとき、ＵＥは、測定対象における周波数情報に基づき、測定のための周波数を決定し、次に、当該周波数でビームを測定する。
【００９３】
別の可能な実施方式において、第２の情報はさらに、ターゲットビームの参照信号識別子、参照信号シーケンス、または参照信号モードを含み得て、これにより、端末は、予め定義されたマッピング関係に基づき、対応するネットワークデバイスおよび／またはビーム識別子を黙示的に推定してよい。
【００９４】
測定対象は、ＵＥによりフィードバックされた能力情報に基づいて設定され、能力情報は、ＵＥがシングルコネクティビティ、デュアルコネクティビティ、またはマルチコネクティビティをサポートすること、またはＵＥが単一のビームまたは複数のビームをサポートすることを示す情報である。
【００９５】
段階６０２：第１のネットワークデバイスは、第１の情報および／または第２の情報をＵＥへ送り、これにより、ＵＥは、測定イベントが満たされたとき、測定結果を第１のネットワークデバイスに報告する。
【００９６】
第１の情報および第２の情報は、物理層シグナリング、媒体アクセス制御ＭＡＣ層シグナリング、または無線リソース制御ＲＲＣ層シグナリングのうち少なくとも１つを用いることによって送られる。
【００９７】
測定対象におけるターゲットビームが第２のビームであるとき、第１のネットワークデバイスは、ＲＲＣ接続再設定メッセージをＵＥへ送信し、ＲＲＣ接続再設定メッセージにおける情報要素が第１の情報を保持することに留意されたい。
【００９８】
段階６０３：ユーザ機器は、第１の情報および／または第２の情報を受信し、第１の情報および／または第２のデバイスに基づき、測定を実行する。
【００９９】
段階６０４：測定イベントが満たされたとき、ユーザ機器は、第１の測定結果および／または第２の測定結果を第１のネットワークデバイスに報告し、ここで、第１の測定結果はセル測定結果であり、第２の測定結果はビーム測定結果である。
【０１００】
測定閾値が満たされたとき、ユーザ機器は、測定報告フォーマットに基づき、第１の測定結果および／または第２の測定結果を完成させる。
【０１０１】
ユーザ機器は、第２の情報に基づき、かつ、第２のビームに基づき、第１の測定結果をターゲットネットワークデバイスに報告する。別の可能な実施方式において、ユーザ機器は、第１のビームおよび／または第３のビームおよび／または第４のビームのうち少なくとも１つに基づき、第２の測定結果を報告するか、または第１のビーム、第３のビーム、および第４のビームのうち少なくとも１つを用いることによって取得されたセル測定結果に基づき、第１の測定結果を報告する。
【０１０２】
第１の測定結果は、無線リソース制御（Ｒａｄｉｏ  Ｒｅｓｏｕｒｃｅ  Ｃｏｎｔｒｏｌ、略してＲＲＣ）層シグナリング、物理層（ｐｈｙｓｉｃａｌ  ｌａｙｅｒ、略してＰＨＹ）シグナリング、または媒体アクセス制御（Ｍｅｄｉａ  Ａｃｃｅｓｓ  Ｃｏｎｔｒｏｌ、略してＭＡＣ）層シグナリングを用いることによって報告される。第２の測定結果は、物理層シグナリングまたはＭＡＣ層シグナリングを用いることによって報告される。
【０１０３】
例えば、第２の情報に基づき、ユーザ機器は、セル測定結果をマクロ基地局に報告し、ビーム測定結果を第１のネットワークデバイス、または測定対象において示されているネットワークデバイスに報告してよく、または、第１の測定結果および／または第２の測定結果を第１のネットワークデバイス、または測定対象において示されたネットワークデバイスに報告してよい。
【０１０４】
本発明の本実施形態において、第１のネットワークデバイスは、異なるタイプの測定イベントを設定し、異なるタイプの測定イベントに基づき、異なる閾値を設定し、および／または、第２の情報を設定し、第２の情報は、ＵＥに、異なるタイプの測定結果を報告するよう命令するために用いられる。これは、高密度のネットワークまたは超高密度のネットワークにおける高利得ビームカバレッジの特徴を完全に考慮し、ユーザ機器の可動性に対して、ビーム測定によりよく適応し、将来の５Ｇネットワークにおける測定報告に適応する。
【０１０５】
前述では、測定報告方法を説明している。図８を参照して、以下では、方法が適用されるネットワークデバイスを具体的に説明する。本発明は、ネットワークデバイスの実施形態を提供する。ネットワークデバイス８００は、ユーザ機器ＵＥのために第１の情報および／または第２の情報を設定するよう構成される設定モジュール８１０であって、第１の情報は、第１の閾値および／または第２の閾値を含み、第１の閾値は、第１のタイプの測定イベントをトリガするために用いられ、第２の閾値は、第２のタイプの測定イベントをトリガするために用いられ、第２の情報は、ＵＥに、第１の測定結果および／または第２の測定結果を報告するよう命令するために用いられ、第１の測定結果はセル測定結果であり、第２の測定結果はビーム測定結果である、設定モジュール８１０と、測定イベントが満たされたとき、ＵＥが測定結果をネットワークデバイスに報告するように、設定モジュール８１０により設定された第１の情報および／または第２の情報をＵＥへ送るよう構成される送信モジュール８２０と、ＵＥにより送信された測定結果を受信するよう構成される受信モジュール８３０とを含む。
【０１０６】
具体的には、設定モジュール８１０は、図６に対応する実施形態における段階６０１を実行するよう構成され、送信モジュール８２０は、図６に対応する実施形態における段階６０２を実行するよう構成される。ネットワークデバイスの具体的な説明については、図６に対応する実施形態説明を参照されたい。詳細はここでは再び説明されない。
【０１０７】
さらに、図８のネットワークデバイスは機能モジュールの形態において提示される。ここで、「モジュール」は、特定用途向け集積回路（ａｐｐｌｉｃａｔｉｏｎ−ｓｐｅｃｉｆｉｃ  ｉｎｔｅｇｒａｔｅｄ  ｃｉｒｃｕｉｔ、ＡＳＩＣ）、回路、１つまたは複数のソフトウェアまたはファームウェアプログラムを実行するプロセッサ９３０およびメモリ９１０、集積論理回路、および／または前述の機能を提供することができる別のデバイスであってよい。簡単な実施形態において、図８のネットワークデバイスは、図９に示されている形態であってよい。モジュールは、図９のプロセッサ９３０、トランシーバ９２０、およびメモリ９１０により実行されてよい。
【０１０８】
メモリ９１０は、コンピュータ実行可能なプログラムコードを記憶するよう構成され、アプリケーションプログラムまたはデータを記憶する１または複数の記憶媒体（例えば、１または複数の大容量記憶装置）であってよい。メモリ９１０および記憶媒体は、一時的メモリまたは永続メモリであってよい。記憶媒体に記憶されているプログラムは、１または複数のモジュール（不図示）を含んでよく、各モジュールは、ネットワークデバイスにおける一連の命令動作を含んでよい。
【０１０９】
トランシーバ９２０は、第１の情報および／または第２の情報をユーザ機器へ送るよう構成され、ユーザにより報告された第１の測定結果および／または第２の測定結果を受信するようさらに構成される。プロセッサ９３０は、メモリ９１０およびトランシーバ９２０に結合される。
【０１１０】
プログラムコードは、命令を含み、プロセッサ９３０が命令を実行したとき、命令は、ネットワークデバイスが図６に対応する実施形態のネットワークデバイスにより実際に実行される方法を実行することを可能とする。
【０１１１】
図１０を参照して、本発明は、ユーザ機器の実施形態を提供する。ユーザ機器１０００は、第１のネットワークデバイスにより送信された第１の情報および／または第２の情報を受信するよう構成される受信モジュール１０１０であって、第１の情報は、第１の閾値および／または第２の閾値を含み、第１の閾値は、第１のタイプの測定イベントをトリガするために用いられ、第２の閾値は、第２のタイプの測定イベントをトリガするために用いられる、受信モジュール１０１０と、受信モジュール１０１０により受信された第１の情報および／または第２の情報に基づき、測定を実行するよう構成される測定モジュール１０２０と、測定イベントが満たされたと測定モジュール１０２０が決定したとき、第２の情報に基づき、第１の測定結果および／または第２の測定結果を報告するよう構成される送信モジュール１０３０であって、第１の測定結果はセル測定結果であり、第２の測定結果はビーム測定結果である、送信モジュール１０３とを備える。
【０１１２】
具体的には、受信モジュール１０１０は、図６に対応する実施形態の段階６０３における第１の情報および／または第２の情報を受信する段階を実行するよう構成され、測定モジュール１０２０は、図６に対応する実施形態の段階６０３における第１の情報および／または第２のデバイスに基づき、測定を実行する段階を実行するよう構成され、送信モジュール１０３０は、図６に対応する実施形態の段階６０４を実行するよう構成される。ユーザ機器の具体的な説明については、図６に対応する実施形態の説明を参照されたい。詳細はここでは再び説明されない。
【０１１３】
さらに、図１０におけるユーザ機器は、機能モジュールの形態で提示される。ここで、「モジュール」は、特定用途向け集積回路（ａｐｐｌｉｃａｔｉｏｎ−ｓｐｅｃｉｆｉｃ  ｉｎｔｅｇｒａｔｅｄ  ｃｉｒｃｕｉｔ、ＡＳＩＣ）、回路、１つまたは複数のソフトウェアまたはファームウェアプログラムを実行するプロセッサおよびメモリ、集積論理回路、および／または前述の機能を提供することができる別のデバイスであってよい。簡単な実施形態において、図１０のユーザ機器は、図１１に示されている形態であってよい。
【０１１４】
本発明の本実施形態はさらに、別のユーザ機器１１００を提供する。図１１に示されているように、説明を容易にするために、本発明の実施形態に関連する部分のみが示されている。開示されていない具体的な技術詳細については、本発明の実施形態の方法部分を参照されたい。ユーザ機器は、例として携帯電話を用いることによって説明される。
【０１１５】
図１１は、本発明の一実施形態に係る端末関連の携帯電話の部分的な構造のブロック図である。図１１を参照して、携帯電話は、トランシーバ１１１０、メモリ１１２０、入力ユニット１１３０、表示ユニット１１４０、センサ１１５０、オーディオ回路１１６０、プロセッサ１１８０、および電源１１９０などの構成要素を含む。当業者は、図１１に示されている携帯電話構造は携帯電話に対して限定を構成しないことを理解し得る。携帯電話は、図面に示されている構成要素より多くの、またはより少ない構成要素を含んでよく、またはいくつかの構成要素を組み合わせてよく、または異なる構成要素レイアウトを有してよい。
【０１１６】
以下では、図１１を参照して携帯電話の組成要素を具体的に説明する。
【０１１７】
トランシーバ１１１０は、情報送信／受信または呼処理において信号を送信または受信するよう構成されてよく、特に、ネットワークデバイスからダウンリンク情報を受信し、処理のためにダウンリンク情報をプロセッサ１１８０へ送信し、アップリンク関連の測定結果をネットワークデバイスへ送信してよい。通常、トランシーバ１１１０は、アンテナ、少なくとも１つの増幅器、トランシーバ、カプラ、低雑音増幅器（Ｌｏｗ  Ｎｏｉｓｅ  Ａｍｐｌｉｆｉｅｒ、ＬＮＡ）、デュプレクサ、および同様のものを含むが、それらに限定されない。
【０１１８】
メモリ１１２０は、ソフトウェアプログラムおよびモジュールを記憶するよう構成されてよい。プロセッサ１１８０は、メモリ１１２０に記憶されているソフトウェアプログラムおよびモジュールを起動して、携帯電話の様々な機能用途およびデータ処理を実行する。メモリ１１２０は主に、プログラム記憶エリアおよびデータ記憶エリアを含んでよい。プログラム記憶エリアは、オペレーティングシステム、および少なくとも１つの機能により要求されるアプリケーションプログラムを記憶してよい。加えて、メモリ１１２０は、高速ランダムアクセスメモリを含んでよく、例えば、少なくとも１つの磁気ディスク記憶装置、フラッシュメモリデバイス、または別の揮発性ソリッドステートの記憶装置のような不揮発性メモリをさらに含んでよい。
【０１１９】
入力ユニット１１３０は、入力された数字または文字情報を受信し、携帯電話のユーザ設定および機能制御に関連する鍵信号入力を生成するよう構成されてよい。具体的には、入力ユニット１１３０は、タッチパネル１１３１および別の入力デバイス１１３２を含んでよい。
【０１２０】
表示ユニット１１４０は、ユーザにより入力された情報、またはユーザのために提供される情報、および携帯電話の様々なメニューを表示するよう構成されてよい。表示ユニット１１４０は、表示パネル１１４１を含んでよい。図１１において、タッチパネル１１３１および表示パネル１１４１は、携帯電話の入力および入力機能を実行する２つの独立した構成要素である。しかし、いくつかの実施形態において、タッチパネル１１３１および表示パネル１１４１は一体化されて、携帯電話の入力および出力機能を実行してよい。
【０１２１】
オーディオ回路１１６０、スピーカ１１６１、およびマイク１１６２は、ユーザと携帯電話との間のオーディオインターフェースを提供してよい。オーディオ回路１１６０は、受信されたオーディオデータから変換された電気信号をスピーカ１１６１へ伝送してよい。スピーカ１１６１は、電気信号を音声信号に変換して、音声信号を出力する。
【０１２２】
プロセッサ１１８０は、携帯電話の制御センタであり、様々なインターフェースおよび回線を用いることによって携帯電話全体の様々な部分を接続し、メモリ１１２０に記憶されているソフトウェアプログラムおよび／またはモジュールを起動または実行し、メモリ１１２０に記憶されているデータを呼び出すことにより、携帯電話の様々な機能およびデータ処理を実行し、これにより、携帯電話に対して全体的なモニタリングを実行する。携帯電話はさらに、様々な構成要素に電力を供給する電源１１９０（バッテリなど）を含む。好ましくは、電源は、電源管理システムを用いることによって論理的にプロセッサ１１８０に接続されてよく、これにより、電源管理システムを用いることによって、充電管理、放電管理、および電力消費管理などの機能を実行する。
【０１２３】
本発明の本実施形態において、ユーザ機器に含まれるプロセッサ１１８０はさらに、ユーザ機器が図６に対応する実施形態のユーザ機器により実際に実行される方法を実行することを可能とする機能を有する。
【０１２４】
本発明の実施形態はさらに、図８および図９に示されているネットワークデバイス、または図１０および図１１に示されているユーザ機器により用いられるコンピュータソフトウェア命令を記憶するよう構成されるコンピュータ記憶媒体を提供する。コンピュータソフトウェア命令は、前述の方法実施形態を実行するように設計されたプログラムを含む。リソースは、記憶されているプログラムを実行することによって取得されることができる。
【０１２５】
当業者は、本出願の主題の全てまたは一部が、ハードウェアおよび／またはファームウェアと組み合わせたソフトウェアにおいて実行され得ることを理解するべきである。例えば、本明細書において説明されている主題は、１または複数のプロセッサにより実行されるソフトウェアにおいて実行され得る。実装方式の例において、本明細書において説明されている主題は、コンピュータ実行可能命令を記憶する非一時的コンピュータ可読媒体を用いることによって実行され得る。コンピュータのプロセッサがコンピュータ実行可能命令を実行するとき、命令は、コンピュータを制御して段階を実行させる。本明細書において説明されている主題の実装方式に適用可能なコンピュータ可読媒体の例は、磁気ディスク記憶装置、チップ記憶装置、プログラマブル論理デバイス、または特定用途向け集積回路などの非一時的コンピュータ可読媒体を含む。加えて、本明細書において説明されている主題を実行するコンピュータ可読媒体は、単一のデバイスまたはコンピューティングプラットフォーム上に位置してよく、または複数のデバイスまたはコンピューティングプラットフォーム上に分散されてよい。
【０１２６】
最後に、前述の実施形態は単に、本発明の技術的解決手段を説明することを意図しており、本発明を限定するものではないことに留意されたい。本発明は前述の実施形態を参照して詳細に説明されているが、当業者は、彼らがさらに、本発明の実施形態の技術的解決手段の範囲から逸脱することなく、前述の実施形態において説明されている技術的解決手段に対して変更を行い得て、または、それらのいくつかの技術特徴に対して均等な置換えを施し得ることを理解するべきである。
【図１】
2019532586.tif 000004
【図２】
2019532586.tif 000005
【図３】
2019532586.tif 000006
【図４】
2019532586.tif 000007
【図５】
2019532586.tif 000008
【図６】
2019532586.tif 000009
【図７】
2019532586.tif 000010
【図８】
2019532586.tif 000011
【図９】
2019532586.tif 000012
【図１０】
2019532586.tif 000013
【図１１】
2019532586.tif 000014
【手続補正書】
【提出日】令和1年6月6日(2019.6.6)
【手続補正１】
【補正対象書類名】特許請求の範囲
【補正対象項目名】全文
【補正方法】変更
【補正の内容】
【特許請求の範囲】
【請求項１】
第１のネットワークデバイスが、ユーザ機器のために第２の情報を設定する段階であって、前記第２の情報は、前記ユーザ機器に、第２の測定結果を報告するよう命令するために用いられ、前記第２の測定結果は、ビーム測定結果である、段階と、
前記ユーザ機器が前記第２の測定結果を前記第１のネットワークデバイスに報告するように、前記第１のネットワークデバイスが、前記第２の情報を前記ユーザ機器へ送る段階と、
前記第１のネットワークデバイスが、前記ユーザ機器により送信された前記第２の測定結果を受信する段階と
を備える
測定報告方法。
【請求項２】
前記第１のネットワークデバイスが、第１の情報を前記ユーザ機器に対して設定する段階であって、前記第１の情報は、最良なビームもしくはビームペアを報告するか、または最良なＮ個のビームもしくは最良なＮ個のビームペアを報告するように前記ユーザ機器を設定するよう前記第１のネットワークデバイスに命令するために用いられる、段階
をさらに備える請求項１に記載の測定報告方法。
【請求項３】
前記第２の情報はさらに、測定粒度、測定オフセット、測定遅れ、異なる測定結果をフィルタリングするための方法、測定する必要があるネットワークデバイス識別子またはビーム識別子またはビームペア識別子、およびフィードバックを行うために用いられるフィードバックリソースのうち少なくとも１つを含み、前記異なる測定結果は、ビーム測定結果、またはビーム測定結果に基づいて取得されたセル測定結果である、請求項１または２に記載の測定報告方法。
【請求項４】
前記測定結果は、測定によって取得されたビーム信号強度、測定または推定によって取得されたセル信号強度、ネットワークデバイス識別子、ビーム識別子、およびビームペア識別子のうち少なくとも１つを含み、前記測定結果は、最良な信号強度を有するビームのビーム測定結果、または最良な信号強度を有する前記Ｎ個のビームのビーム測定結果の線形もしくは非線形平均である、請求項１から３の何れか一項に記載の測定報告方法。
【請求項５】
ユーザ機器が最良なビームもしくはビームペアのみを報告するように、または、前記ユーザ機器が最良なＮ個のビームもしくは最良なＮ個のビームペアを報告するように、第１のネットワークデバイスが、第１の情報に含まれる閾値を設定する段階であって、Ｎは１より大きいか、またはそれに等しい整数である、段階と、
前記ユーザ機器が測定結果を報告するように、前記第１のネットワークデバイスが、前記第１の情報を前記ユーザ機器へ送信する段階と、
前記第１のネットワークデバイスが、前記ユーザ機器により送信された前記測定結果を受信する段階と
を備える
測定報告方法。
【請求項６】
前記第１のネットワークデバイスが、第２の情報を前記ユーザ機器に対して設定する段階であって、前記第２の情報は、前記ユーザ機器に、第２の測定結果を報告するよう命令するために用いられ、前記第２の測定結果は、ビーム測定結果である、段階
をさらに備える請求項５に記載の測定報告方法。
【請求項７】
前記測定結果は、測定によって取得されたビーム信号強度、測定または推定によって取得されたセル信号強度、ネットワークデバイス識別子、ビーム識別子、およびビームペア識別子のうち少なくとも１つを含み、前記セル信号強度は、レイヤ１における参照信号受信電力ＲＳＲＰおよび／または参照信号受信品質ＲＳＲＱであるか、または、レイヤ２またはレイヤ３でフィルタリングした後に取得されたＲＳＲＰおよび／またはＲＳＲＱである、請求項５に記載の測定報告方法。
【請求項８】
ユーザ機器が、第１のネットワークデバイスにより送信された第２の情報を受信する段階であって、第２の情報は、前記ユーザ機器に、第２の測定結果を報告するよう命令するために用いられ、前記第２の測定結果は、ビーム測定結果である、段階と、  前記ユーザ機器が、前記第２の情報に基づき、前記第２の測定結果を報告する段階と
を備える
測定報告方法。
【請求項９】
前記ユーザ機器が、前記第１のネットワークデバイスにより送信された第１の情報を受信する段階であって、前記第１の情報は、最良なビームもしくは最良なビームペアを報告するか、または最良なＮ個のビームもしくは最良なＮ個のビームペアを報告するように前記ユーザ機器を設定するよう、前記第１のネットワークデバイスに命令するために用いられる、段階
をさらに備える請求項８に記載の測定報告方法。
【請求項１０】
前記第２の情報はさらに、測定粒度、測定オフセット、測定遅れ、異なる測定結果をフィルタリングするための方法、測定する必要があるネットワークデバイス識別子またはビーム識別子またはビームペア識別子、およびフィードバックを行うために用いられるフィードバックリソースのうち少なくとも１つを含み、前記異なる測定結果は、ビームのタイプまたはセルのタイプに特有の測定結果である、請求項８または９に記載の測定報告方法。
【請求項１１】
前記測定結果は、測定によって取得されたビーム信号強度、測定または推定によって取得されたセル信号強度、ネットワークデバイス識別子、ビーム識別子、およびビームペア識別子のうち少なくとも１つを含み、前記測定結果は、最良な信号強度を有するビームのビーム測定結果、または最良な信号強度を有するＮ個のビームのビーム測定結果の線形もしくは非線形平均である、請求項８または９に記載の測定報告方法。
【請求項１２】
前記測定結果は、測定によって取得されたビーム信号強度、測定または推定によって取得されたセル信号強度、ネットワークデバイス識別子、ビーム識別子、およびビームペア識別子のうち少なくとも１つを含み、前記セル信号強度は、レイヤ１における参照信号受信電力ＲＳＲＰおよび／または参照信号受信品質ＲＳＲＱ、または、レイヤ２またはレイヤ３でフィルタリングした後に取得されたＲＳＲＰおよび／またはＲＳＲＱである、請求項１０に記載の測定報告方法。
【請求項１３】
ユーザ機器が、第１のネットワークデバイスにより送信された第１の情報を受信する段階であって、前記第１の情報は、最良なビームもしくは最良なビームペアを報告するか、または最良なＮ個のビームもしくは最良なＮ個のビームペアを報告するように前記ユーザ機器を設定するよう、前記第１のネットワークデバイスに命令するために用いられる、段階と、
前記ユーザ機器が、前記第１の情報に従って、測定結果を報告する段階と
を備える
測定報告方法。
【請求項１４】
前記ユーザ機器が、第２の情報を受信する段階であって、前記第２の情報は、前記ユーザ機器に、第２の測定結果を報告するよう命令するために用いられ、前記第２の測定結果は、ビーム測定結果である、段階
をさらに備える請求項１３に記載の測定報告方法。
【請求項１５】
前記ユーザ機器が、前記第１の情報に従って、測定結果を報告する前記段階は、
前記ユーザ機器が、前記第１の情報に従って、最良なＮ個のビームまたは最良のＮ個のビームペアを報告する段階であって、Ｎは１より大きいか、またはそれに等しい整数である、段階を含む、請求項１４に記載の測定報告方法。
【請求項１６】
ネットワークデバイスであって、
ユーザ機器のために第２の情報を設定するよう構成される設定モジュールであって、前記第２の情報は、前記ユーザ機器に、第２の測定結果を報告するよう命令するために用いられ、前記第２の測定結果は、ビーム測定結果である、設定モジュールと、
前記ユーザ機器が前記第２の情報に従って、測定結果を報告するように、前記設定モジュールにより設定された前記第２の情報を前記ユーザ機器へ送るよう構成される送信モジュールと、
前記ユーザ機器により送信された前記第２の測定結果を受信するよう構成される受信モジュールと
を備える
ネットワークデバイス。
【請求項１７】
第１のネットワークデバイスにより送信された第２の情報を受信するよう構成される受信モジュールと、
前記受信モジュールにより受信された前記第２の情報に基づき、測定を実行するよう構成される測定モジュールと、
測定イベントが満たされたと前記測定モジュールが決定したとき、前記第２の情報に基づき、第１の測定結果および／または第２の測定結果を報告するよう構成される送信モジュールであって、前記第１の測定結果は、セル測定結果であり、前記第２の測定結果は、ビーム測定結果である、送信モジュールと
を備える
ユーザ機器。
【請求項１８】
ネットワークデバイスであって、
前記ネットワークデバイスは、請求項８から１２の何れか一項に記載の方法を実行するよう構成される、
ネットワークデバイス。
【請求項１９】
ユーザ機器であって、
前記ユーザ機器は、請求項１３から１５の何れか一項に記載の方法を実行するよう構成される、
ユーザ機器。
【手続補正２】
【補正対象書類名】明細書
【補正対象項目名】００９８
【補正方法】変更
【補正の内容】
【００９８】
段階６０３：ユーザ機器は、第１の情報および／または第２の情報を受信し、第１の情報および／または第２の情報に基づき、測定を実行する。
【手続補正３】
【補正対象書類名】明細書
【補正対象項目名】０１１２
【補正方法】変更
【補正の内容】
【０１１２】
具体的には、受信モジュール１０１０は、図６に対応する実施形態の段階６０３における第１の情報および／または第２の情報を受信する段階を実行するよう構成され、測定モジュール１０２０は、図６に対応する実施形態の段階６０３における第１の情報および／または第２の情報に基づき、測定を実行する段階を実行するよう構成され、送信モジュール１０３０は、図６に対応する実施形態の段階６０４を実行するよう構成される。ユーザ機器の具体的な説明については、図６に対応する実施形態の説明を参照されたい。詳細はここでは再び説明されない。
【手続補正４】
【補正対象書類名】明細書
【補正対象項目名】０１１８
【補正方法】変更
【補正の内容】
【０１１８】
メモリ１１２０は、ソフトウェアプログラムおよびモジュールを記憶するよう構成されてよい。プロセッサ１１８０は、メモリ１１２０に記憶されているソフトウェアプログラムおよびモジュールを起動して、携帯電話の様々な機能用途およびデータ処理を実行する。メモリ１１２０は主に、プログラム記憶エリアおよびデータ記憶エリアを含んでよい。プログラム記憶エリアは、オペレーティングシステム、および少なくとも１つの機能により要求されるアプリケーションプログラムを記憶してよい。加えて、メモリ１１２０は、高速ランダムアクセスメモリを含んでよく、例えば、少なくとも１つの磁気ディスク記憶装置、フラッシュメモリデバイス、または別の不揮発性ソリッドステートの記憶装置のような不揮発性メモリをさらに含んでよい。
【手続補正５】
【補正対象書類名】明細書
【補正対象項目名】０１２０
【補正方法】変更
【補正の内容】
【０１２０】
表示ユニット１１４０は、ユーザにより入力された情報、またはユーザのために提供される情報、および携帯電話の様々なメニューを表示するよう構成されてよい。表示ユニット１１４０は、表示パネル１１４１を含んでよい。図１１において、タッチパネル１１３１および表示パネル１１４１は、携帯電話の入力および出力機能を実行する２つの独立した構成要素である。しかし、いくつかの実施形態において、タッチパネル１１３１および表示パネル１１４１は一体化されて、携帯電話の入力および出力機能を実行してよい。
【手続補正６】
【補正対象書類名】図面
【補正対象項目名】図６
【補正方法】変更
【補正の内容】
【図６】
2019532586.tif 000015
【国際調査報告】
2019532586.tif 000016
2019532586.tif 000017
2019532586.tif 000018
2019532586.tif 000019